(57)【特許請求の範囲】
【請求項１】
車両ネットワーク内の伝送リソースをスケジュールするための装置であって、
基地局によって送信されたマクロネットワークシステム情報を受信することであって、前記マクロネットワークシステム情報がノード伝送リソース情報を搬送する、受信することと、第1の決定ユニットによって決定されたターゲットノード伝送リソースに従って、ノードによって送信されたミクロネットワークシステム情報を受信することであって、前記ミクロネットワークシステム情報がミクロネットワーク識別子およびノード識別子を搬送する、受信することとを行うように構成された受信ユニットと、
前記受信ユニットによって受信された前記マクロネットワークシステム情報内で搬送された前記ノード伝送リソース情報に従って、前記ターゲットノード伝送リソースを決定するように構成された前記第1の決定ユニットと、
前記受信ユニットによって受信された前記ミクロネットワークシステム情報内で搬送された前記ミクロネットワーク識別子および前記ノード識別子に従って、ミクロネットワークにアクセスするように構成された処理ユニットと、
通信タスクが生成されると、前記通信タスクのタスクタイプに従って、前記処理ユニットがアクセスする前記ミクロネットワーク内のターゲットリソーススケジューリング方式を決定するように構成された第2の決定ユニットと、
前記第2の決定ユニットによって決定された前記ターゲットリソーススケジューリング方式に従って、前記アクセスされたミクロネットワーク内でターゲット伝送リソースを取得するように構成された取得ユニットと、
前記取得ユニットによって取得された前記ターゲット伝送リソースに基づいて、前記通信タスクに対応するデータを送信するように構成された実行ユニットと
を備える、装置。
【請求項２】
前記取得ユニットが、具体的に、
前記決定されたターゲットリソーススケジューリング方式が競合方式であるとき、前記ミクロネットワークシステム情報に従って、前記アクセスされたミクロネットワーク内の前記ターゲット伝送リソースを決定すること、または
前記決定されたターゲットリソーススケジューリング方式が集中型スケジューリング方式であるとき、前記ノードにリソース要求情報を送信すること
を行うように構成される、請求項1に記載の装置。
【請求項３】
前記取得ユニットが前記ノードに前記リソース要求情報を送信した後、前記受信ユニットが、
前記リソース要求情報に基づいて前記ノードによって返信された前記ターゲット伝送リソースを受信すること
を行うようにさらに構成される、請求項2に記載の装置。
【請求項４】
前記基地局によって送信された前記マクロネットワークシステム情報を受信するとき、前記受信ユニットが、具体的に、
前記基地局によって送信され、ミクロネットワーク動作周波数、スケジュール済みスケジューリング割当て(SA)リソースプール、および競合SAリソースプールをさらに備える前記マクロネットワークシステム情報を受信することであって、前記スケジュール済みSAリソースプール内の各スケジュール済みSAリソースおよび前記競合SAリソースプール内の各競合SAリソースが、前記ミクロネットワーク動作周波数が位置する周波数帯域内の時間周波数リソースであり、前記時間周波数リソースが、伝送リソースの時間周波数位置ならびに対応する変調およびコーディング方式を示すために使用される、受信すること、または
前記基地局によって送信され、ミクロネットワーク動作周波数、スケジュール済み伝送リソースプール、および競合伝送リソースプールをさらに備える前記マクロネットワークシステム情報を受信することであって、前記スケジュール済み伝送リソースプール内の各スケジュール済み伝送リソースおよび前記競合伝送リソースプール内の各競合伝送リソースが、前記ミクロネットワーク動作周波数が位置する周波数帯域内の伝送リソースである、受信すること
を行うように構成される、請求項3に記載の装置。
【請求項５】
前記基地局によって送信された前記マクロネットワークシステム情報内で搬送された前記ノード伝送リソース情報を受信するとき、前記受信ユニットが、具体的に、
前記基地局によって送信され、前記ミクロネットワーク動作周波数、前記スケジュール済みSAリソースプール、および前記競合SAリソースプールをさらに備える前記マクロネットワークシステム情報を受信するとき、前記基地局によって送信された前記マクロネットワークシステム情報内で搬送されたノードSAリソースプールをさらに受信することであって、前記ノードSAリソースプール内の各ノードSAリソースが、前記ミクロネットワーク動作周波数が位置する前記周波数帯域内の時間周波数リソースであり、前記時間周波数リソースが、伝送リソースの時間周波数位置ならびに対応する変調およびコーディング方式を示すために使用される、受信すること
を行うように構成される、請求項4に記載の装置。
【請求項６】
前記基地局によって送信された前記マクロネットワークシステム情報内で搬送された前記ノード伝送リソース情報を受信するとき、前記受信ユニットが、具体的に、
前記基地局によって送信され、前記ミクロネットワーク動作周波数、前記スケジュール済み伝送リソースプール、および前記競合伝送リソースプールをさらに備える前記マクロネットワークシステム情報を受信するとき、前記基地局によって送信された前記マクロネットワークシステム情報内で搬送されたノード伝送リソースプールをさらに受信することであって、前記ノード伝送リソースプール内の各ノード伝送リソースが、前記ミクロネットワーク動作周波数が位置する前記周波数帯域内の伝送リソースである、受信すること
を行うように構成される、請求項4に記載の装置。
【請求項７】
前記第1の決定ユニットが、
前記受信ユニットによって受信された前記マクロネットワークシステム情報内で搬送された前記ノード伝送リソース情報が前記ノード伝送リソースプールであるかどうかを判定すること
を行うようにさらに構成され、
前記マクロネットワークシステム情報内で搬送された前記ノード伝送リソース情報が前記ノード伝送リソースプールであると前記第1の決定ユニットが判定すると、前記第1の決定ユニットが、具体的に、
前記ミクロネットワーク動作周波数が位置する前記指定された周波数帯域内にあり、前記ノードによって送信された前記ミクロネットワークシステム情報を受信することができる、少なくとも1つのノード伝送リソースを求めて、前記ノード伝送リソースプール内の前記ノード伝送リソースを探索することと、
前記見つけられた少なくとも1つのノード伝送リソースから、前記ターゲットノード伝送リソースとして1つのノード伝送リソースを選択することと
を行うようにさらに構成される、請求項6に記載の装置。
【請求項８】
前記ノードによって送信された前記ミクロネットワークシステム情報を受信するとき、前記受信ユニットが、具体的に、
前記ノードによって送信され、ミクロネットワークスケジュール済みSA送信リソースプールおよびミクロネットワーク競合SA送信リソースプールをさらに備える前記ミクロネットワークシステム情報を受信することであって、前記ミクロネットワークスケジュール済みSA送信リソースプール内の各ミクロネットワークスケジュール済みSA送信リソースおよび前記ミクロネットワーク競合SA送信リソースプール内の各ミクロネットワーク競合SA送信リソースが、前記ミクロネットワーク動作周波数が位置する前記周波数帯域内の時間周波数リソースであり、前記時間周波数リソースが、伝送リソースの時間周波数位置ならびに対応する変調およびコーディング方式を示すために使用される、受信すること
を行うように構成される、請求項5に記載の装置。
【請求項９】
前記ノードによって送信された前記ミクロネットワークシステム情報を受信するとき、前記受信ユニットが、具体的に、
前記ノードによって送信され、ミクロネットワークスケジュール済み送信リソースプールおよびミクロネットワーク競合送信リソースプールをさらに備える前記ミクロネットワークシステム情報を受信することであって、前記ミクロネットワークスケジュール済み送信リソースプール内の各ミクロネットワークスケジュール済み送信リソースおよび前記ミクロネットワーク競合送信リソースプール内の各ミクロネットワーク競合送信リソースが、前記ミクロネットワーク動作周波数が位置する前記周波数帯域内の伝送リソースである、受信すること
を行うように構成される、請求項6または7に記載の装置。
【請求項１０】
前記処理ユニットが、具体的に、
前記ミクロネットワーク識別子および前記ノード識別子に従ってそれ自体の構成を完了し、前記ノード識別子に対応する前記ノードへの接続を確立すること
を行うように構成される、請求項4から9のいずれか一項に記載の装置。
【請求項１１】
車両ネットワーク内の伝送リソースをスケジュールするための方法であって、
装置の受信ユニットが、基地局によって送信されたマクロネットワークシステム情報を受信するステップであって、前記マクロネットワークシステム情報がノード伝送リソース情報を搬送する、ステップと、
前記装置の第1の決定ユニットが、前記ノード伝送リソース情報に従ってターゲットノード伝送リソースを決定するステップと、
前記受信ユニットが、前記ターゲットノード伝送リソースに従って、ノードによって送信されたミクロネットワークシステム情報を受信するステップであって、前記ミクロネットワークシステム情報がミクロネットワーク識別子およびノード識別子を搬送する、ステップと、
前記装置の処理ユニットが、前記ミクロネットワークシステム情報内で搬送された前記ミクロネットワーク識別子および前記ノード識別子に従って、ミクロネットワークにアクセスするステップと、
前記装置の第2の決定ユニットが、通信タスクが生成されると、前記通信タスクのタスクタイプに従って、前記アクセスされたミクロネットワーク内のターゲットリソーススケジューリング方式を決定するステップと、
前記装置の取得ユニットが、前記決定されたターゲットリソーススケジューリング方式に従って、前記アクセスされたミクロネットワーク内でターゲット伝送リソースを取得するステップと、
前記装置の実行ユニットが、前記ターゲット伝送リソースに基づいて、前記通信タスクに対応するデータを送信するステップと
を備える、方法。
【請求項１２】
前記装置の取得ユニットが、前記決定されたターゲットリソーススケジューリング方式に従って、前記アクセスされたミクロネットワーク内でターゲット伝送リソースを取得する前記ステップが、
前記決定されたターゲットリソーススケジューリング方式が競合方式であるとき、前記ミクロネットワークシステム情報に従って、前記アクセスされたミクロネットワーク内の前記ターゲット伝送リソースを決定するステップ、または
前記決定されたターゲットリソーススケジューリング方式が集中型スケジューリング方式であるとき、前記ノードにリソース要求情報を送信し、前記リソース要求情報に基づいて前記ノードによって返信された前記ターゲット伝送リソースを受信するステップ
を備える、請求項11に記載の方法。
【請求項１３】
前記マクロネットワークシステム情報が、ミクロネットワーク動作周波数、スケジュール済みスケジューリング割当て(SA)リソースプール、および競合SAリソースプールをさらに備え、前記スケジュール済みSAリソースプール内の各スケジュール済みSAリソースおよび前記競合SAリソースプール内の各競合SAリソースが、前記ミクロネットワーク動作周波数が位置する周波数帯域内の時間周波数リソースであり、前記時間周波数リソースが、伝送リソースの時間周波数位置ならびに対応する変調およびコーディング方式を示すために使用されるか、または
前記マクロネットワークシステム情報が、ミクロネットワーク動作周波数、スケジュール済み伝送リソースプール、および競合伝送リソースプールをさらに備え、前記スケジュール済み伝送リソースプール内の各スケジュール済み伝送リソースおよび前記競合伝送リソースプール内の各競合伝送リソースが、前記ミクロネットワーク動作周波数が位置する周波数帯域内の伝送リソースである、
請求項12に記載の方法。
【請求項１４】
前記マクロネットワークシステム情報が、前記ミクロネットワーク動作周波数、前記スケジュール済みSAリソースプール、および前記競合SAリソースプールをさらに備えるとき、前記マクロネットワークシステム情報内で搬送された前記ノード伝送リソース情報がノードSAリソースプールであり、前記ノードSAリソースプール内の各ノードSAリソースが、前記ミクロネットワーク動作周波数が位置する前記周波数帯域内の時間周波数リソースであり、前記時間周波数リソースが、伝送リソースの時間周波数位置ならびに対応する変調およびコーディング方式を示すために使用される、請求項13に記載の方法。
【請求項１５】
前記マクロネットワークシステム情報が、前記ミクロネットワーク動作周波数、前記スケジュール済み伝送リソースプール、および前記競合伝送リソースプールをさらに備えるとき、前記マクロネットワークシステム情報内で搬送された前記ノード伝送リソース情報がノード伝送リソースプールであり、前記ノード伝送リソースプール内の各ノード伝送リソースが、前記ミクロネットワーク動作周波数が位置する前記周波数帯域内の伝送リソースである、請求項13に記載の方法。
【請求項１６】
前記マクロネットワークシステム情報内で搬送された前記ノード伝送リソース情報が前記ノード伝送リソースプールであるとき、前記装置の第1の決定ユニットが、前記ノード伝送リソース情報に従ってターゲットノード伝送リソースを決定する前記ステップが、
前記ミクロネットワーク動作周波数が位置する前記指定された周波数帯域内にあり、前記ノードによって送信された前記ミクロネットワークシステム情報を受信することができる、少なくとも1つのノード伝送リソースを求めて、前記ノード伝送リソースプール内の前記ノード伝送リソースを探索するステップと、
前記見つけられた少なくとも1つのノード伝送リソースから、前記ターゲットノード伝送リソースとして1つのノード伝送リソースを選択するステップと
を備える、請求項15に記載の方法。
【請求項１７】
前記ミクロネットワークシステム情報が、ミクロネットワークスケジュール済みSA送信リソースプールおよびミクロネットワーク競合SA送信リソースプールをさらに備え、前記ミクロネットワークスケジュール済みSA送信リソースプール内の各ミクロネットワークスケジュール済みSA送信リソースおよび前記ミクロネットワーク競合SA送信リソースプール内の各ミクロネットワーク競合SA送信リソースが、前記ミクロネットワーク動作周波数が位置する前記周波数帯域内の時間周波数リソースであり、前記時間周波数リソースが、伝送リソースの時間周波数位置ならびに対応する変調およびコーディング方式を示すために使用される、請求項14に記載の方法。
【請求項１８】
前記ミクロネットワークシステム情報が、ミクロネットワークスケジュール済み送信リソースプールおよびミクロネットワーク競合送信リソースプールをさらに備え、前記ミクロネットワークスケジュール済み送信リソースプール内の各ミクロネットワークスケジュール済み送信リソースおよび前記ミクロネットワーク競合送信リソースプール内の各ミクロネットワーク競合送信リソースが、前記ミクロネットワーク動作周波数が位置する前記周波数帯域内の伝送リソースである、請求項15または16に記載の方法。
【請求項１９】
前記ミクロネットワークシステム情報が、タスクタイプとリソーススケジューリング方式との間のマッピング関係をさらに備え、各タスクタイプが、前記マッピング関係において少なくとも1つのリソーススケジューリング方式に対応する、請求項17または18に記載の方法。
【請求項２０】
前記装置の処理ユニットが、前記ミクロネットワークシステム情報内で搬送された前記ミクロネットワーク識別子および前記ノード識別子に従って、ミクロネットワークにアクセスする前記ステップが、
前記ミクロネットワーク識別子および前記ノード識別子に従ってそれ自体の構成を完了し、前記ノード識別子に対応する前記ノードへの接続を確立するステップ
を備える、請求項13から19のいずれか一項に記載の方法。
【請求項２１】
コンピュータユニットによって実行されたとき、前記コンピュータユニットに請求項11から20のいずれか一項に記載のユーザ端末のステップを実施させるコンピュータプログラムコードを含む、コンピュータプログラム。
【発明の詳細な説明】
【技術分野】
【０００１】
本発明は、通信技術の分野に関し、詳細には、車両ネットワーク内の伝送リソースをスケジュールするための方法および装置に関する。
【背景技術】
【０００２】
社会の段階的な進歩に伴い、自動車はますます人気が出てきている。自動車による移動は人々に便利な交通手段を提供するが、人間社会に対する負の影響、たとえば、都市部における交通渋滞および頻発する交通事故ももたらす。明らかに、社会の進歩のために、高度道路交通システム（Intelligent Transportation System、ITS）が確立される必要がある。
【０００３】
現在、車両は、車両対車両（Vehicle to Vehicle、V2V）通信または車両対基盤（Vehicle to Infrastructure、V2I）通信によって道路状況情報を取得するか、または他のサービス情報を受信することができ、V2V通信およびV2I通信において使用されるネットワークは、車両ネットワークと呼ばれる。具体的には、車両は、V2V通信によって近くの車両に、車両の速度、運転方向、具体的な位置、または緊急ブレーキが行われたかどうかなどの運転情報をブロードキャストすることができる。したがって、近くの車両の運転情報を取得する車両のドライバは、危険な状況をあらかじめ予測し回避するために、視線の向こうの交通状況をより良く把握することができる。V2I通信の場合、運転情報の前述の交換に加えて、交通基盤は、車両に様々なタイプのサービス情報およびデータネットワークのサポートをさらに提供し、それにより、交通のインテリジェンスを改善することができる。
【０００４】
ロングタームエボリューション（Long Term Evolution、LTE）技術は、現在、主流のワイヤレス通信技術であり、望ましいネットワークカバレージを有する。したがって、車両ネットワークの通信性能を改善するために、V2V通信およびV2I通信はLTE技術と組み合わされる。LTE技術において伝送リソースを割り振る方式は集中型制御方式であり、基地局は、端末、すなわち車両または交通基盤向けの伝送リソースを集中型方式でスケジュールおよび構成し、その結果、リソース衝突問題は回避され、それによりサービスのQoSが保証される。リソース衝突問題は、伝送リソースを取得するために自由競合方式が使用されるときに複数の端末が1つの同じ伝送リソースを求めて争うときに発生する。しかしながら、車両ネットワークでは、通信V2VとV2I通信の両方において、車両は、近くの車両または交通基盤に運転情報などの情報を頻繁に送信し、別の車両または交通基盤によって送信された運転情報などの情報を頻繁に受信する必要がある。データが送信されるたびに、基地局に送信要求が報告される必要があり、基地局は伝送リソースを割り振り、シグナリングを使用することにより、割り振られた伝送リソースを端末に通知する。したがって、車両の頻発するデータ伝送により、基地局との頻繁なシグナリング対話がもたらされる。その結果、基地局のシグナリングオーバーヘッドが増大する。加えて、基地局はまた、複数回伝送リソースを割り振る必要がある。結果として、基地局の負荷が増大し、基地局の作業効率が減少する。
【発明の概要】
【課題を解決するための手段】
【０００５】
本発明の実施形態は、伝送リソースを取得するために基地局によるスケジューリングの方式が使用されるので、基地局のシグナリングオーバーヘッドが増大し、基地局の負荷が増大し、基地局の作業効率が減少するという従来技術の問題を解決するために、車両ネットワーク内の伝送リソースをスケジュールするための方法を提供する。
【０００６】
第1の態様によれば、
基地局によって送信されたマクロネットワークシステム情報を受信することであって、マクロネットワークシステム情報がノード伝送リソース情報を搬送する、受信することと、第1の決定ユニットによって決定されたターゲットノード伝送リソースに従って、ノードによって送信されたミクロネットワークシステム情報を受信することであって、ミクロネットワークシステム情報がミクロネットワーク識別子およびノード識別子を搬送する、受信することとを行うように構成された受信ユニットと、
受信ユニットによって受信されたマクロネットワークシステム情報内で搬送されたノード伝送リソース情報に従って、ターゲットノード伝送リソースを決定するように構成された第1の決定ユニットと、
受信ユニットによって受信されたミクロネットワークシステム情報内で搬送されたミクロネットワーク識別子およびノード識別子に従って、ミクロネットワークにアクセスするように構成された処理ユニットと、
通信タスクが生成されると、通信タスクのタスクタイプに従って、処理ユニットがアクセスするミクロネットワーク内のターゲットリソーススケジューリング方式を決定するように構成された第2の決定ユニットと、
第2の決定ユニットによって決定されたターゲットリソーススケジューリング方式に従って、アクセスされたミクロネットワーク内でターゲット伝送リソースを取得するように構成された取得ユニットと、
取得ユニットによって取得されたターゲット伝送リソースに基づいて、通信タスクに対応するデータを送信するように構成された実行ユニットと
を含む、車両ネットワーク内の伝送リソースをスケジュールするための装置が提供される。
【０００７】
第1の態様を参照して、第1の可能な実装方式では、取得ユニットは、具体的に、
決定されたターゲットリソーススケジューリング方式が競合方式であるとき、ミクロネットワークシステム情報に従って、アクセスされたミクロネットワーク内のターゲット伝送リソースを決定すること、または
決定されたターゲットリソーススケジューリング方式が集中型スケジューリング方式であるとき、ノードにリソース要求情報を送信すること
を行うように構成される。
【０００８】
第1の態様の第1の可能な実装方式を参照して、第2の可能な実装方式では、取得ユニットがノードにリソース要求情報を送信した後、受信ユニットは、
リソース要求情報に基づいてノードによって返信されたターゲット伝送リソースを受信すること
を行うようにさらに構成される。
【０００９】
第1の態様または第1の態様の前述の可能な実装方式のうちの任意の1つを参照して、第3の可能な実装方式では、受信ユニットは、具体的に、
システム情報ブロードキャストSIBまたは無線リソース制御RRCのシグナリングを使用することにより、基地局によって送信されたマクロネットワークシステム情報を受信すること
を行うように構成される。
【００１０】
第1の態様の第2の可能な実装方式を参照して、第4の可能な実装方式では、基地局によって送信されたマクロネットワークシステム情報を受信するとき、受信ユニットは、具体的に、
基地局によって送信され、ミクロネットワーク動作周波数、スケジュール済みスケジューリング割当てSAリソースプール、および競合SAリソースプールをさらに含むマクロネットワークシステム情報を受信することであって、スケジュール済みSAリソースプール内の各スケジュール済みSAリソースおよび競合SAリソースプール内の各競合SAリソースが、ミクロネットワーク動作周波数が位置する周波数帯域内の時間周波数リソースであり、時間周波数リソースが、伝送リソースの時間周波数位置ならびに対応する変調およびコーディング方式を示すために使用される、受信すること、または
基地局によって送信され、ミクロネットワーク動作周波数、スケジュール済み伝送リソースプール、および競合伝送リソースプールをさらに含むマクロネットワークシステム情報を受信することであって、スケジュール済み伝送リソースプール内の各スケジュール済み伝送リソースおよび競合伝送リソースプール内の各競合伝送リソースが、ミクロネットワーク動作周波数が位置する周波数帯域内の伝送リソースである、受信すること
を行うように構成される。
【００１１】
第1の態様の第4の可能な実装方式を参照して、第5の可能な実装方式では、基地局によって送信されたマクロネットワークシステム情報内で搬送されたノード伝送リソース情報を受信するとき、受信ユニットは、具体的に、
基地局によって送信され、ミクロネットワーク動作周波数、スケジュール済みSAリソースプール、および競合SAリソースプールをさらに含むマクロネットワークシステム情報を受信するとき、基地局によって送信されたマクロネットワークシステム情報内で搬送されたノードSAリソースプールをさらに受信することであって、ノードSAリソースプール内の各ノードSAリソースが、ミクロネットワーク動作周波数が位置する周波数帯域内の時間周波数リソースであり、時間周波数リソースが、伝送リソースの時間周波数位置ならびに対応する変調およびコーディング方式を示すために使用される、受信すること
を行うように構成される。
【００１２】
第1の態様の第4の可能な実装方式を参照して、第6の可能な実装方式では、基地局によって送信されたマクロネットワークシステム情報内で搬送されたノード伝送リソース情報を受信するとき、受信ユニットは、具体的に、
基地局によって送信され、ミクロネットワーク動作周波数、スケジュール済み伝送リソースプール、および競合伝送リソースプールをさらに含むマクロネットワークシステム情報を受信するとき、基地局によって送信されたマクロネットワークシステム情報内で搬送されたノード伝送リソースプールをさらに受信することであって、ノード伝送リソースプール内の各ノード伝送リソースが、ミクロネットワーク動作周波数が位置する周波数帯域内の伝送リソースである、受信すること
を行うように構成される。
【００１３】
第1の態様の第5の可能な実装方式を参照して、第7の可能な実装方式では、第1の決定ユニットは、
受信ユニットによって受信されたマクロネットワークシステム情報内で搬送されたノード伝送リソース情報がノードSAリソースプールであるかどうかを判定すること
を行うようにさらに構成され、
マクロネットワークシステム情報内で搬送されたノード伝送リソース情報がノードSAリソースプールであると第1の決定ユニットが判定すると、第1の決定ユニットは、具体的に、
ノードSAリソースプール内のノードSAリソース内で、ミクロネットワーク動作周波数が位置する指定された周波数帯域内にあり、ノードSA情報を含む、少なくとも1つのノードSAリソースを求めて探索することであって、任意のノードSAリソースがノードSA情報を含むとき、任意のノードSAリソースに対応する伝送リソースを使用することによりミクロネットワークシステム情報を伝送するようにノードが命令される、探索することと、
見つけられた少なくとも1つのノードSAリソースから、ターゲットノードSAリソースとして1つのノードSAリソースを選択することと、
ターゲットノードSAリソースによって示された伝送リソースの時間周波数位置に対応する伝送リソースを決定し、決定された伝送リソースをターゲットノード伝送リソースとして使用することと
を行うように構成される。
【００１４】
第1の態様の第6の可能な実装方式を参照して、第8の可能な実装方式では、第1の決定ユニットは、
受信ユニットによって受信されたマクロネットワークシステム情報内で搬送されたノード伝送リソース情報がノード伝送リソースプールであるかどうかを判定すること
を行うようにさらに構成され、
マクロネットワークシステム情報内で搬送されたノード伝送リソース情報がノード伝送リソースプールであると第1の決定ユニットが判定すると、第1の決定ユニットは、具体的に、
ミクロネットワーク動作周波数が位置する指定された周波数帯域内にあり、ノードによって送信されたミクロネットワークシステム情報を受信することができる、少なくとも1つのノード伝送リソースを求めて、ノード伝送リソースプール内のノード伝送リソースを探索することと、
見つけられた少なくとも1つのノード伝送リソースから、ターゲットノード伝送リソースとして1つのノード伝送リソースを選択することと
を行うように構成される。
【００１５】
第1の態様の第5または第7の可能な実装方式を参照して、第9の可能な実装方式では、ノードによって送信されたミクロネットワークシステム情報を受信するとき、受信ユニットは、具体的に、
ノードによって送信され、ミクロネットワークスケジュール済みSA送信リソースプールおよびミクロネットワーク競合SA送信リソースプールをさらに含むミクロネットワークシステム情報を受信することであって、ミクロネットワークスケジュール済みSA送信リソースプール内の各ミクロネットワークスケジュール済みSA送信リソースおよびミクロネットワーク競合SA送信リソースプール内の各ミクロネットワーク競合SA送信リソースが、ミクロネットワーク動作周波数が位置する周波数帯域内の時間周波数リソースであり、時間周波数リソースが、伝送リソースの時間周波数位置ならびに対応する変調およびコーディング方式を示すために使用される、受信すること
を行うように構成される。
【００１６】
第1の態様の第6または第8の可能な実装方式を参照して、第10の可能な実装方式では、ノードによって送信されたミクロネットワークシステム情報を受信するとき、受信ユニットは、具体的に、
ノードによって送信され、ミクロネットワークスケジュール済み送信リソースプールおよびミクロネットワーク競合送信リソースプールをさらに含むミクロネットワークシステム情報を受信することであって、ミクロネットワークスケジュール済み送信リソースプール内の各ミクロネットワークスケジュール済み送信リソースおよびミクロネットワーク競合送信リソースプール内の各ミクロネットワーク競合送信リソースが、ミクロネットワーク動作周波数が位置する周波数帯域内の伝送リソースである、受信すること
を行うように構成される。
【００１７】
第1の態様の第9または第10の可能な実装方式を参照して、第11の可能な実装方式では、ノードによって送信されたミクロネットワークシステム情報を受信するとき、受信ユニットは、具体的に、
ノードによって送信され、タスクタイプとリソーススケジューリング方式との間のマッピング関係をさらに含むミクロネットワークシステム情報を受信することであって、各タスクタイプが、マッピング関係において少なくとも1つのリソーススケジューリング方式に対応する、受信すること
を行うように構成される。
【００１８】
第1の態様の第4から第11の可能な実装方式のうちの任意の1つを参照して、第12の可能な実装方式では、処理ユニットは、具体的に、
ミクロネットワーク識別子およびノード識別子に従ってそれ自体の構成を完了し、ノード識別子に対応するノードへの接続を確立すること
を行うように構成される。
【００１９】
第1の態様の第11の可能な実装方式を参照して、第13の可能な実装方式では、通信タスクのタスクタイプに従って、アクセスされたミクロネットワーク内のターゲットリソーススケジューリング方式を決定するとき、第2の決定ユニットは、具体的に、
通信タスクのタスクタイプに従って、タスクタイプに対応する少なくとも1つのリソーススケジューリング方式を求めて、タスクタイプとリソーススケジューリング方式との間のマッピング関係を探索することと、
リソーススケジューリング方式のあらかじめ設定された優先度に従って、見つけられたリソーススケジューリング方式から、ターゲットリソーススケジューリング方式として1つのリソーススケジューリング方式を選択することと
を行うように構成される。
【００２０】
第1の態様の第9の可能な実装方式を参照して、第14の可能な実装方式では、ミクロネットワークシステム情報に従って、アクセスされたミクロネットワーク内のターゲット伝送リソースを決定するとき、取得ユニットは、具体的に、
ミクロネットワークシステム情報内のミクロネットワーク競合SA送信リソースプールが、アイドルのミクロネットワーク競合SA送信リソースを含むかどうかを判定することと、
ミクロネットワーク競合SA送信リソースプールがアイドルのミクロネットワーク競合SA送信リソースを含む場合、アイドルのミクロネットワーク競合SA送信リソースから1つのミクロネットワーク競合SA送信リソースを選択し、選択されたミクロネットワーク競合SA送信リソースによって示された伝送リソースの時間周波数位置に従って、時間周波数位置に対応する伝送リソースをターゲット伝送リソースとして決定し、そうでない場合、マクロネットワークシステム情報内の競合SAリソースプールから1つのアイドルの競合SAリソースを選択し、選択された競合SAリソースによって示された伝送リソースの時間周波数位置に従って、時間周波数位置に対応する伝送リソースをターゲット伝送リソースとして決定することと
を行うように構成される。
【００２１】
第1の態様の第10の可能な実装方式を参照して、第15の可能な実装方式では、ミクロネットワークシステム情報に従って、アクセスされたミクロネットワーク内のターゲット伝送リソースを決定するとき、取得ユニットは、具体的に、
ミクロネットワークシステム情報内のミクロネットワーク競合送信リソースプールが、アイドルのミクロネットワーク競合送信リソースを含むかどうかを判定することと、
ミクロネットワーク競合送信リソースプールがアイドルのミクロネットワーク競合送信リソースを含む場合、アイドルのミクロネットワーク競合送信リソースから1つまたは複数のミクロネットワーク競合送信リソースを選択し、選択されたミクロネットワーク競合送信リソースをターゲット伝送リソースとして使用し、そうでない場合、マクロネットワークシステム情報内の競合伝送リソースプールから1つまたは複数のアイドルの競合伝送リソースを選択し、選択された競合伝送リソースをターゲット伝送リソースとして使用することと
を行うように構成される。
【００２２】
第1の態様の第4から第14の可能な実装方式のうちの任意の1つを参照して、第16の可能な実装方式では、ノードにリソース要求情報を送信するとき、取得ユニットは、具体的に、
通信タスクのタスク情報を含むリソース要求情報をノードに送信することであって、タスク情報が以下のタスクタイプ、タスク優先度、またはサービストラフィックのうちの任意の1つまたは組合せを含む、送信すること
を行うように構成される。
【００２３】
第1の態様の第4から第15の可能な実装方式のうちの任意の1つを参照して、第17の可能な実装方式では、リソース要求情報に基づいてノードによって返信されたターゲット伝送リソースを受信するとき、受信ユニットは、具体的に、
リソース要求情報に基づいてノードによって返信され、ターゲット伝送リソースを含む、リソース認可情報を受信すること
を行うように構成される。
【００２４】
第1の態様の第17の可能な実装方式を参照して、第18の可能な実装方式では、リソース認可情報に含まれるターゲット伝送リソースを受信するとき、受信ユニットは、具体的に、
リソース認可情報に含まれるターゲット伝送リソースを受信することであって、ターゲット伝送リソースの時間周波数位置に対応するミクロネットワークスケジュール済みSA送信リソースが、ミクロネットワークスケジュール済みSA送信リソースプールに属する、受信すること、または
リソース認可情報に含まれるターゲット伝送リソースを受信することであって、ターゲット伝送リソースの時間周波数位置に対応するスケジュール済みSAリソースが、スケジュール済みSAリソースプールに属する、受信すること
を行うように構成される。
【００２５】
第1の態様の第17の可能な実装方式を参照して、第19の可能な実装方式では、リソース認可情報に含まれるターゲット伝送リソースを受信するとき、受信ユニットは、具体的に、
リソース認可情報に含まれ、ミクロネットワークスケジュール済み送信リソースプールまたはスケジュール済み伝送リソースプールに属するターゲット伝送リソースを受信すること
を行うように構成される。
【００２６】
第2の態様によれば、
基地局によって送信されたマクロネットワークシステム情報を受信することであって、マクロネットワークシステム情報がノード伝送リソース情報を搬送する、受信することと、
ノード伝送リソース情報に従ってターゲットノード伝送リソースを決定することと、
ターゲットノード伝送リソースに従って、ノードによって送信されたミクロネットワークシステム情報を受信することであって、ミクロネットワークシステム情報がミクロネットワーク識別子およびノード識別子を搬送する、受信することと、
ミクロネットワークシステム情報内で搬送されたミクロネットワーク識別子およびノード識別子に従って、ミクロネットワークにアクセスすることと、
通信タスクが生成されると、通信タスクのタスクタイプに従って、アクセスされたミクロネットワーク内のターゲットリソーススケジューリング方式を決定することと、
決定されたターゲットリソーススケジューリング方式に従って、アクセスされたミクロネットワーク内でターゲット伝送リソースを取得することと、
ターゲット伝送リソースに基づいて、通信タスクに対応するデータを送信することと
を含む、車両ネットワーク内の伝送リソースをスケジュールするための方法が提供される。
【００２７】
第2の態様を参照して、第1の可能な実装方式では、決定されたターゲットリソーススケジューリング方式に従って、アクセスされたミクロネットワーク内でターゲット伝送リソースを取得することは、
決定されたターゲットリソーススケジューリング方式が競合方式であるとき、ミクロネットワークシステム情報に従って、アクセスされたミクロネットワーク内のターゲット伝送リソースを決定すること、または
決定されたターゲットリソーススケジューリング方式が集中型スケジューリング方式であるとき、ノードにリソース要求情報を送信し、リソース要求情報に基づいてノードによって返信されたターゲット伝送リソースを受信すること
を含む。
【００２８】
第2の態様または第2の態様の第1の可能な実装方式を参照して、第2の可能な実装方式では、基地局によって送信されたマクロネットワークシステム情報を受信することは、
システム情報ブロードキャストSIBまたは無線リソース制御RRCのシグナリングを使用することにより、基地局によって送信されたマクロネットワークシステム情報を受信すること
を含む。
【００２９】
第2の態様の第1の可能な実装方式を参照して、第3の可能な実装方式では、マクロネットワークシステム情報は、ミクロネットワーク動作周波数、スケジュール済みスケジューリング割当てSAリソースプール、および競合SAリソースプールをさらに含み、スケジュール済みSAリソースプール内の各スケジュール済みSAリソースおよび競合SAリソースプール内の各競合SAリソースは、ミクロネットワーク動作周波数が位置する周波数帯域内の時間周波数リソースであり、時間周波数リソースは、伝送リソースの時間周波数位置ならびに対応する変調およびコーディング方式を示すために使用されるか、または
マクロネットワークシステム情報は、ミクロネットワーク動作周波数、スケジュール済み伝送リソースプール、および競合伝送リソースプールをさらに含み、スケジュール済み伝送リソースプール内の各スケジュール済み伝送リソースおよび競合伝送リソースプール内の各競合伝送リソースは、ミクロネットワーク動作周波数が位置する周波数帯域内の伝送リソースである。
【００３０】
第2の態様の第3の可能な実装方式を参照して、第4の可能な実装方式では、マクロネットワークシステム情報が、ミクロネットワーク動作周波数、スケジュール済みSAリソースプール、および競合SAリソースプールをさらに含むとき、マクロネットワークシステム情報内で搬送されたノード伝送リソース情報はノードSAリソースプールであり、ノードSAリソースプール内の各ノードSAリソースは、ミクロネットワーク動作周波数が位置する周波数帯域内の時間周波数リソースであり、時間周波数リソースは、伝送リソースの時間周波数位置ならびに対応する変調およびコーディング方式を示すために使用される。
【００３１】
第2の態様の第3の可能な実装方式を参照して、第5の可能な実装方式では、マクロネットワーク情報が、ミクロネットワーク動作周波数、スケジュール済み伝送リソースプール、および競合伝送リソースプールをさらに含むとき、マクロネットワークシステム情報内で搬送されたノード伝送リソース情報はノード伝送リソースプールであり、ノード伝送リソースプール内の各ノード伝送リソースは、ミクロネットワーク動作周波数が位置する周波数帯域内の伝送リソースである。
【００３２】
第2の態様の第4の可能な実装方式を参照して、第6の可能な実装方式では、マクロネットワークシステム情報内で搬送されたノード伝送リソース情報がノードSAリソースプールであるとき、ノード伝送リソース情報に従ってターゲットノード伝送リソースを決定することは、
ミクロネットワーク動作周波数が位置する指定された周波数帯域内にあり、ノードSA情報を含む、少なくとも1つのノードSAリソースを求めて、ノードSAリソースプール内のノードSAリソースを探索することであって、任意のノードSAリソースがノードSA情報を含むとき、任意のノードSAリソースに対応する伝送リソースを使用することによりミクロネットワークシステム情報を伝送するようにノードが命令される、探索することと、
見つけられた少なくとも1つのノードSAリソースから、ターゲットノードSAリソースとして1つのノードSAリソースを選択することと、
ターゲットノードSAリソースによって示された伝送リソースの時間周波数位置に対応する伝送リソースを決定し、決定された伝送リソースをターゲットノード伝送リソースとして使用することと
を含む。
【００３３】
第2の態様の第5の可能な実装方式を参照して、第7の可能な実装方式では、マクロネットワークシステム情報内で搬送されたノード伝送リソース情報がノード伝送リソースプールであるとき、ノード伝送リソース情報に従ってターゲットノード伝送リソースを決定することは、
ミクロネットワーク動作周波数が位置する指定された周波数帯域内にあり、ノードによって送信されたミクロネットワークシステム情報を受信することができる、少なくとも1つのノード伝送リソースを求めて、ノード伝送リソースプール内のノード伝送リソースを探索することと、
見つけられた少なくとも1つのノード伝送リソースから、ターゲットノード伝送リソースとして1つのノード伝送リソースを選択することと
を含む。
【００３４】
第2の態様の第4または第6の可能な実装方式を参照して、第8の可能な実装方式では、ミクロネットワークシステム情報は、ミクロネットワークスケジュール済みSA送信リソースプールおよびミクロネットワーク競合SA送信リソースプールをさらに含み、ミクロネットワークスケジュール済みSA送信リソースプール内の各ミクロネットワークスケジュール済みSA送信リソースおよびミクロネットワーク競合SA送信リソースプール内の各ミクロネットワーク競合SA送信リソースは、ミクロネットワーク動作周波数が位置する周波数帯域内の時間周波数リソースであり、時間周波数リソースは、伝送リソースの時間周波数位置ならびに対応する変調およびコーディング方式を示すために使用される。
【００３５】
第2の態様の第5または第7の可能な実装方式を参照して、第9の可能な実装方式では、ミクロネットワークシステム情報は、ミクロネットワークスケジュール済み送信リソースプールおよびミクロネットワーク競合送信リソースプールをさらに含み、ミクロネットワークスケジュール済み送信リソースプール内の各ミクロネットワークスケジュール済み送信リソースおよびミクロネットワーク競合送信リソースプール内の各ミクロネットワーク競合送信リソースは、ミクロネットワーク動作周波数が位置する周波数帯域内の伝送リソースである。
【００３６】
第2の態様の第8または第9の可能な実装方式を参照して、第10の可能な実装方式では、ミクロネットワークシステム情報は、タスクタイプとリソーススケジューリング方式との間のマッピング関係をさらに含み、各タスクタイプは、マッピング関係において少なくとも1つのリソーススケジューリング方式に対応する。
【００３７】
第2の態様の第3から第10の可能な実装方式のうちの任意の1つを参照して、第11の可能な実装方式では、ミクロネットワークシステム情報内で搬送されたミクロネットワーク識別子およびノード識別子に従って、ミクロネットワークにアクセスすることは、
ミクロネットワーク識別子およびノード識別子に従ってそれ自体の構成を完了し、ノード識別子に対応するノードへの接続を確立すること
を含む。
【００３８】
第2の態様の第10の可能な実装方式を参照して、第12の可能な実装方式では、通信タスクのタスクタイプに従って、アクセスされたミクロネットワーク内のターゲットリソーススケジューリング方式を決定することは、
通信タスクのタスクタイプに従って、タスクタイプに対応する少なくとも1つのリソーススケジューリング方式を求めて、タスクタイプとリソーススケジューリング方式との間のマッピング関係を探索することと、
リソーススケジューリング方式のあらかじめ設定された優先度に従って、見つけられたリソーススケジューリング方式から、ターゲットリソーススケジューリング方式として1つのリソーススケジューリング方式を選択することと
を含む。
【００３９】
第2の態様の第8の可能な実装方式を参照して、第13の可能な実装方式では、ミクロネットワークシステム情報に従って、アクセスされたミクロネットワーク内のターゲット伝送リソースを決定することは、
ミクロネットワークシステム情報内のミクロネットワーク競合SA送信リソースプールが、アイドルのミクロネットワーク競合SA送信リソースを含むかどうかを判定することと、
ミクロネットワーク競合SA送信リソースプールがアイドルのミクロネットワーク競合SA送信リソースを含む場合、アイドルのミクロネットワーク競合SA送信リソースから1つのミクロネットワーク競合SA送信リソースを選択し、選択されたミクロネットワーク競合SA送信リソースによって示された伝送リソースの時間周波数位置に従って、時間周波数位置に対応する伝送リソースをターゲット伝送リソースとして決定し、そうでない場合、マクロネットワークシステム情報内の競合SAリソースプールから1つのアイドルの競合SAリソースを選択し、選択された競合SAリソースによって示された伝送リソースの時間周波数位置に従って、時間周波数位置に対応する伝送リソースをターゲット伝送リソースとして決定することと
を含む。
【００４０】
第2の態様の第9の可能な実装方式を参照して、第14の可能な実装方式では、ミクロネットワークシステム情報に従って、アクセスされたミクロネットワーク内のターゲット伝送リソースを決定することは、
ミクロネットワークシステム情報内のミクロネットワーク競合送信リソースプールが、アイドルのミクロネットワーク競合送信リソースを含むかどうかを判定することと、
ミクロネットワーク競合送信リソースプールがアイドルのミクロネットワーク競合送信リソースを含む場合、アイドルのミクロネットワーク競合送信リソースから1つまたは複数のミクロネットワーク競合送信リソースを選択し、選択されたミクロネットワーク競合送信リソースをターゲット伝送リソースとして使用し、そうでない場合、マクロネットワークシステム情報内の競合伝送リソースプールから1つまたは複数のアイドルの競合伝送リソースを選択し、選択された競合伝送リソースをターゲット伝送リソースとして使用することと
を含む。
【００４１】
第2の態様の第3から第14の可能な実装方式のうちの任意の1つを参照して、第15の可能な実装方式では、ノードにリソース要求情報を送信することは、
通信タスクのタスク情報を含むリソース要求情報をノードに送信することであって、タスク情報が以下のタスクタイプ、タスク優先度、またはサービストラフィックのうちの任意の1つまたは組合せを含む、送信すること
を含む。
【００４２】
第2の態様の第3から第15の可能な実装方式のうちの任意の1つを参照して、第16の可能な実装方式では、リソース要求情報に基づいてノードによって返信されたターゲット伝送リソースを受信することは、
リソース要求情報に基づいてノードによって返信され、ターゲット伝送リソースを含む、リソース認可情報を受信すること
を含む。
【００４３】
第2の態様の第16の可能な実装方式を参照して、第17の可能な実装方式では、受信されたターゲット伝送リソースの時間周波数位置に対応するミクロネットワークスケジュール済みSA送信リソースは、ミクロネットワークスケジュール済みSA送信リソースプールに属するか、または
受信されたターゲット伝送リソースの時間周波数位置に対応するスケジュール済みSAリソースは、スケジュール済みSAリソースプールに属する。
【００４４】
第2の態様の第16の可能な実装方式を参照して、第18の可能な実装方式では、受信されたターゲット伝送リソースは、ミクロネットワークスケジュール済み送信リソースプールまたはスケジュール済み伝送リソースプールに属する。
【００４５】
本発明の実施形態では、端末は、基地局によって送信され、ノード伝送リソース情報を搬送するマクロネットワークシステム情報を受信し、ノード伝送リソース情報に従ってターゲットノード伝送リソースを決定し、ターゲットノード伝送リソースに従って、ミクロネットワークにアクセスするために、ノードによって送信され、ミクロネットワーク識別子およびノード識別子を搬送するミクロネットワークシステム情報を受信する。通信タスクが生成されると、端末は、通信タスクに従ってターゲットリソーススケジューリング方式を決定し、決定されたターゲットリソーススケジューリング方式に従って、アクセスされたミクロネットワーク内でターゲット伝送リソースを取得し、最終的に、ターゲット伝送リソースに基づいて、通信タスクに対応するデータを送信する。このようにして、車両ネットワーク内で通信タスク用のデータを伝送するとき、端末は、ターゲット伝送リソースを自律的に決定することができ、基地局との複数のシグナリング対話を実施する必要がなく、それにより、基地局のシグナリングオーバーヘッドが低減される。加えて、基地局は、端末がデータを送信するために端末に伝送リソースを割り振る必要がない。したがって、基地局の負荷が減少し、基地局の作業効率が増大する。
【図面の簡単な説明】
【００４６】
【図１】本発明の実施形態による、車両ネットワークシステムの概略構造図である。
【図２】本発明の実施形態による、車両ネットワーク内の伝送リソースをスケジュールするための装置の概略構造図である。
【図３】本発明の実施形態による、車両ネットワーク内の伝送リソースをスケジュールするための方法のフローチャートである。
【図４】本発明の実施形態による、車両ネットワーク内のスペクトルリソースを分割するための第1の方式を示す図である。
【図５】本発明の実施形態による、車両ネットワーク内のスペクトルリソースを分割するための第2の方式を示す図である。
【図６】本発明の実施形態による、車両ネットワーク内の伝送リソースをスケジュールするための方法の具体的なフローチャートである。
【図７】本発明の実施形態による、車両ネットワーク内の伝送リソースをスケジュールするための方法の具体的なフローチャートである。
【図８】本発明の実施形態による、端末デバイスの概略構造図である。
【発明を実施するための形態】
【００４７】
本発明の目的、技術的解決策、および利点をより明確にするために、以下で、添付の図面を参照して、本発明を詳細にさらに記載する。明らかに、記載される実施形態は、本発明の実施形態のすべてではなく、一部にすぎない。創造的な努力なしに本発明の実施形態に基づいて、当業者によって取得されるすべての他の実施形態は、本発明の保護範囲内に入るべきである。
【００４８】
本発明の実施形態は、伝送リソースを取得するために基地局によるスケジューリングの方式が使用されるので、基地局のシグナリングオーバーヘッドが増大し、基地局の負荷が増大し、基地局の作業効率が減少するという従来技術の問題を解決するために、車両ネットワーク内の伝送リソースをスケジュールするための方法および装置を提供する。方法および装置は、同じ発明概念に基づく。方法の問題解決原理は、装置のそれと同様である。したがって、装置の実装形態と方法の実装形態との間で、相互参照が行われる場合がある。説明の繰返しは、これ以上提供されない。
【００４９】
従来技術では、伝送リソースが基地局によるスケジューリングを介して取得されるとき、端末がデータを送信するたびに、端末は、伝送リソースの割振りのために基地局に報告を送信する必要があり、割り振られたリソースは、シグナリングを使用することにより端末に通知される。明らかに、車両の頻発するデータ伝送により、基地局との頻繁なシグナリング対話がもたらされる。その結果、基地局のシグナリングオーバーヘッドが増大する。加えて、基地局は、複数回伝送リソースを割り振る必要がある。結果として、基地局の負荷が増大し、基地局の作業効率が減少する。しかしながら、本発明における技術的解決策により、端末は、基地局によって送信されたマクロネットワークシステム情報を受信および記憶し、マクロネットワークシステム情報に従って、ミクロネットワークシステム情報を送信するために使用されるノード伝送リソースを決定し、ミクロネットワークシステム情報に従ってミクロネットワークにアクセスするために、ノード伝送リソースに従って、ノードによって送信されたミクロネットワークシステム情報を受信する。通信タスクが生成されると、端末は、通信タスクに従ってターゲットリソーススケジューリング方式を決定し、決定されたターゲットリソーススケジューリング方式に従って、アクセスされたミクロネットワーク内のターゲット伝送リソースを決定し、最終的に、ターゲット伝送リソースに基づいて、通信タスクに対応するデータを送信する。このようにして、車両ネットワーク内で通信タスク用のデータを伝送するとき、端末は、ターゲット伝送リソースを自律的に決定することができ、基地局との複数のシグナリング対話を実施する必要がなく、それにより、基地局のシグナリングオーバーヘッドが低減される。加えて、基地局は、端末がデータを送信するために端末に伝送リソースを割り振る必要がない。したがって、基地局の負荷が減少し、基地局の作業効率が増大する。
【００５０】
本発明の実施形態は、車両ネットワーク内の伝送リソースをスケジュールするための方法および装置を提供する。方法および装置は、ITS内のV2VおよびV2Iの上位層サービスデータ通信を処理するための端末デバイスに適用可能である。端末デバイスは、車両および交通基盤などの端末である。以下で、添付図面を参照して詳細に本発明の実装方式を記載する。
【００５１】
本発明の実施形態において提供される車両ネットワーク内の伝送リソースをスケジュールするための方法は、限定はしないが、LTE技術の使用において使用される場合があり、別の通信技術が使用される場合もある。本発明のこの実施形態において、LTEは一例として使用されるにすぎない。
【００５２】
図1を参照すると、本発明において提供される車両ネットワーク内の伝送リソースをスケジュールするための方法における車両ネットワークシステムは、基地局と、端末（車両、交通基盤など）と、ノードとを含む。ネットワーク構造に鑑みて、車両ネットワークシステムは、基地局によって制御されるマクロネットワークと、ノードによって制御されるミクロネットワークとを含む。この実施形態では、ノードはクラスタヘッドと呼ばれる。
【００５３】
基地局の動作帯域は比較的低く、たとえば2GHzなので、基地局によって制御されるマクロネットワークは、概して、比較的大きいネットワークカバレージエリアを有する。場合によっては、基地局によって使用される周波数帯域は、V2V通信および／またはV2I通信を実施するために端末によって使用される周波数帯域、たとえば5．9GHzと同じ場合もある。マクロネットワークの機能は、V2V通信および／またはV2I通信を実施するために端末によって必要とされるシステム情報を提供することであり、その結果、端末は、システム情報に従って、制御ノードとしてノード（すなわち、クラスタヘッド）を使用するミクロネットワークを見つけることができ、端末がミクロネットワークとの通信を確立することに失敗すると、基地局は、端末を制御してV2V通信および／またはV2I通信を実施することができる。
【００５４】
ノードによって制御されるミクロネットワークの動作帯域は比較的高く、たとえば5．9GHzである。したがって、ミクロネットワークのネットワークカバレージは、概して、マクロネットワークのそれよりも小さい。図に示されたように、ノードは固定ノード、たとえば、スモールセル（small cell）、路側ユニット（Road−Side Units、RSU）、または交通基盤であり得るか、または車両などの動的ノードであり得るか、または基地局であり得る。ミクロネットワークでは、伝送リソースは、端末がV2V通信および／またはV2I通信を実施するために、端末に割り振ることができる。これにより、端末と基地局との間の対話によってもたらされるシグナリングオーバーヘッドが低減され、基地局の負荷が減少する。
【００５５】
本発明の実施形態は、車両ネットワーク内の伝送リソースをスケジュールするための装置を提供する。装置は、ITS内のV2VおよびV2Iの上位層サービスデータ通信を処理するための端末デバイスであり得る。端末デバイスは、車両および交通基盤などの端末である。図2を参照すると、装置は、受信ユニット201と、第1の決定ユニット202と、処理ユニット203と、第2の決定ユニット204と、取得ユニット205と、実行ユニット206とを含む。
【００５６】
受信ユニット201は、基地局によって送信されたマクロネットワークシステム情報を受信することであって、マクロネットワークシステム情報がノード伝送リソース情報を搬送する、受信することと、第1の決定ユニット202によって決定されたターゲットノード伝送リソースに従って、ノードによって送信されたミクロネットワークシステム情報を受信することであって、ミクロネットワークシステム情報がミクロネットワーク識別子およびノード識別子を搬送する、受信することとを行うように構成される。
【００５７】
第1の決定ユニット202は、受信ユニット201によって受信されたマクロネットワークシステム情報内で搬送されたノード伝送リソース情報に従って、ターゲットノード伝送リソースを決定するように構成される。
【００５８】
処理ユニット203は、受信ユニット201によって受信されたミクロネットワークシステム情報内で搬送されたミクロネットワーク識別子およびノード識別子に従って、ミクロネットワークにアクセスするように構成される。
【００５９】
第2の決定ユニット204は、通信タスクが生成されると、通信タスクのタスクタイプに従って、処理ユニット203がアクセスするミクロネットワーク内のターゲットリソーススケジューリング方式を決定するように構成される。
【００６０】
取得ユニット205は、第2の決定ユニット204によって決定されたターゲットリソーススケジューリング方式に従って、アクセスされたミクロネットワーク内でターゲット伝送リソースを取得するように構成される。
【００６１】
実行ユニット206は、取得ユニット205によって取得されたターゲット伝送リソースに基づいて、通信タスクに対応するデータを送信するように構成される。
【００６２】
場合によっては、獲得ユニット205は、具体的に、
決定されたターゲットリソーススケジューリング方式が競合方式であるとき、ミクロネットワークシステム情報に従って、アクセスされたミクロネットワーク内のターゲット伝送リソースを決定すること、または
決定されたターゲットリソーススケジューリング方式が集中型スケジューリング方式であるとき、ノードにリソース要求情報を送信すること
を行うように構成される。
【００６３】
場合によっては、取得ユニット205がノードにリソース要求情報を送信した後、受信ユニット201は、
リソース要求情報に基づいてノードによって返信されたターゲット伝送リソースを受信すること
を行うようにさらに構成される。
【００６４】
場合によっては、受信ユニット201は、具体的に、
システム情報ブロードキャストSIBまたは無線リソース制御RRCのシグナリングを使用することにより、基地局によって送信されたマクロネットワークシステム情報を受信すること
を行うように構成される。
【００６５】
場合によっては、基地局によって送信されたマクロネットワーク情報を受信するとき、受信ユニット201は、具体的に、
基地局によって送信され、ミクロネットワーク動作周波数、スケジュール済みスケジューリング割当てSAリソースプール、および競合SAリソースプールをさらに含むマクロネットワークシステム情報を受信することであって、スケジュール済みSAリソースプール内の各スケジュール済みSAリソースおよび競合SAリソースプール内の各競合SAリソースが、ミクロネットワーク動作周波数が位置する周波数帯域内の時間周波数リソースであり、時間周波数リソースが、伝送リソースの時間周波数位置ならびに対応する変調およびコーディング方式を示すために使用される、受信すること、または
基地局によって送信され、ミクロネットワーク動作周波数、スケジュール済み伝送リソースプール、および競合伝送リソースプールをさらに含むマクロネットワークシステム情報を受信することであって、スケジュール済み伝送リソースプール内の各スケジュール済み伝送リソースおよび競合伝送リソースプール内の各競合伝送リソースが、ミクロネットワーク動作周波数が位置する周波数帯域内の伝送リソースである、受信すること
を行うように構成される。
【００６６】
場合によっては、基地局によって送信されたマクロネットワークシステム情報内で搬送されたノード伝送リソース情報を受信するとき、受信ユニット201は、具体的に、
基地局によって送信され、ミクロネットワーク動作周波数、スケジュール済みSAリソースプール、および競合SAリソースプールをさらに含むマクロネットワークシステム情報を受信するとき、基地局によって送信されたマクロネットワークシステム情報内で搬送されたノードSAリソースプールをさらに受信することであって、ノードSAリソースプール内の各ノードSAリソースが、ミクロネットワーク動作周波数が位置する周波数帯域内の時間周波数リソースであり、時間周波数リソースが、伝送リソースの時間周波数位置ならびに対応する変調およびコーディング方式を示すために使用される、受信すること
を行うように構成される。
【００６７】
場合によっては、基地局によって送信されたマクロネットワークシステム情報内で搬送されたノード伝送リソース情報を受信するとき、受信ユニット201は、具体的に、
基地局によって送信され、ミクロネットワーク動作周波数、スケジュール済み伝送リソースプール、および競合伝送リソースプールをさらに含むマクロネットワークシステム情報を受信するとき、基地局によって送信されたマクロネットワークシステム情報内で搬送されたノード伝送リソースプールをさらに受信することであって、ノード伝送リソースプール内の各ノード伝送リソースが、ミクロネットワーク動作周波数が位置する周波数帯域内の伝送リソースである、受信すること
を行うように構成される。
【００６８】
場合によっては、第1の決定ユニット202は、
受信ユニット201によって受信されたマクロネットワークシステム情報内で搬送されたノード伝送リソース情報がノードSAリソースプールであるかどうかを判定すること
を行うようにさらに構成され、
マクロネットワークシステム情報内で搬送されたノード伝送リソース情報がノードSAリソースプールであると第1の決定ユニット202が判定すると、第1の決定ユニット202は、具体的に、
ミクロネットワーク動作周波数が位置する指定された周波数帯域内にあり、ノードSA情報を含む、少なくとも1つのノードSAリソースを求めて、ノードSAリソースプール内のノードSAリソースを探索することであって、任意のノードSAリソースがノードSA情報を含むとき、任意のノードSAリソースに対応する伝送リソースを使用することによりミクロネットワークシステム情報を伝送するようにノードが命令される、探索することと、
見つけられた少なくとも1つのノードSAリソースから、ターゲットノードSAリソースとして1つのノードSAリソースを選択することと、
ターゲットノードSAリソースによって示された伝送リソースの時間周波数位置に対応する伝送リソースを決定し、決定された伝送リソースをターゲットノード伝送リソースとして使用することと
を行うようにさらに構成される。
【００６９】
場合によっては、第1の決定ユニット202は、
受信ユニット201によって受信されたマクロネットワークシステム情報内で搬送されたノード伝送リソース情報がノード伝送リソースプールであるかどうかを判定すること
を行うようにさらに構成され、
マクロネットワークシステム情報内で搬送されたノード伝送リソース情報がノード伝送リソースプールであると第1の決定ユニット202が判定すると、第1の決定ユニット202は、具体的に、
ミクロネットワーク動作周波数が位置する指定された周波数帯域内にあり、ノードによって送信されたミクロネットワークシステム情報を受信することができる、少なくとも1つのノード伝送リソースを求めて、ノード伝送リソースプール内のノード伝送リソースを探索することと、
見つけられた少なくとも1つのノード伝送リソースから、ターゲットノード伝送リソースとして1つのノード伝送リソースを選択することと
を行うようにさらに構成される。
【００７０】
場合によっては、ノードによって送信されたミクロネットワークシステム情報を受信するとき、受信ユニット201は、具体的に、
ノードによって送信され、ミクロネットワークスケジュール済みSA送信リソースプールおよびミクロネットワーク競合SA送信リソースプールをさらに含むミクロネットワークシステム情報を受信することであって、ミクロネットワークスケジュール済みSA送信リソースプール内の各ミクロネットワークスケジュール済みSA送信リソースおよびミクロネットワーク競合SA送信リソースプール内の各ミクロネットワーク競合SA送信リソースが、ミクロネットワーク動作周波数が位置する周波数帯域内の時間周波数リソースであり、時間周波数リソースが、伝送リソースの時間周波数位置ならびに対応する変調およびコーディング方式を示すために使用される、受信すること
を行うように構成される。
【００７１】
場合によっては、ノードによって送信されたミクロネットワークシステム情報を受信するとき、受信ユニット201は、具体的に、
ノードによって送信され、ミクロネットワークスケジュール済み送信リソースプールおよびミクロネットワーク競合送信リソースプールをさらに含むミクロネットワークシステム情報を受信することであって、ミクロネットワークスケジュール済み送信リソースプール内の各ミクロネットワークスケジュール済み送信リソースおよびミクロネットワーク競合送信リソースプール内の各ミクロネットワーク競合送信リソースが、ミクロネットワーク動作周波数が位置する周波数帯域内の伝送リソースである、受信すること
を行うように構成される。
【００７２】
場合によっては、ノードによって送信されたミクロネットワークシステム情報を受信するとき、受信ユニット201は、具体的に、
ノードによって送信され、タスクタイプとリソーススケジューリング方式との間のマッピング関係をさらに含むミクロネットワークシステム情報を受信することであって、各タスクタイプが、マッピング関係において少なくとも1つのリソーススケジューリング方式に対応する、受信すること
を行うように構成される。
【００７３】
場合によっては、処理ユニット203は、具体的に、
ミクロネットワーク識別子およびノード識別子に従ってそれ自体の構成を完了し、ノード識別子に対応するノードへの接続を確立すること
を行うように構成される。
【００７４】
場合によっては、通信タスクのタスクタイプに従って、アクセスされたミクロネットワーク内のターゲットリソーススケジューリング方式を決定するとき、第2の決定ユニット204は、具体的に、
通信タスクのタスクタイプに従って、タスクタイプに対応する少なくとも1つのリソーススケジューリング方式を求めて、タスクタイプとリソーススケジューリング方式との間のマッピング関係を探索することと、
リソーススケジューリング方式のあらかじめ設定された優先度に従って、見つけられたリソーススケジューリング方式からターゲットリソーススケジューリング方式として1つのリソーススケジューリング方式を選択することと
を行うように構成される。
【００７５】
場合によっては、ミクロネットワークシステム情報に従って、アクセスされたミクロネットワーク内のターゲット伝送リソースを決定するとき、取得ユニット205は、具体的に、
ミクロネットワークシステム情報内のミクロネットワーク競合SA送信リソースプールが、アイドルのミクロネットワーク競合SA送信リソースを含むかどうかを判定することと、
ミクロネットワーク競合SA送信リソースプールがアイドルのミクロネットワーク競合SA送信リソースを含む場合、アイドルのミクロネットワーク競合SA送信リソースから1つのミクロネットワーク競合SA送信リソースを選択し、選択されたミクロネットワーク競合SA送信リソースによって示された伝送リソースの時間周波数位置に従って、時間周波数位置に対応する伝送リソースをターゲット伝送リソースとして決定し、そうでない場合、マクロネットワークシステム情報内の競合SAリソースプールから1つのアイドルの競合SAリソースを選択し、選択された競合SAリソースによって示された伝送リソースの時間周波数位置に従って、時間周波数位置に対応する伝送リソースをターゲット伝送リソースとして決定することと
を行うように構成される。
【００７６】
場合によっては、ミクロネットワークシステム情報に従って、アクセスされたミクロネットワーク内のターゲット伝送リソースを決定するとき、取得ユニット205は、具体的に、
ミクロネットワークシステム情報内のミクロネットワーク競合送信リソースプールが、アイドルのミクロネットワーク競合送信リソースを含むかどうかを判定することと、
ミクロネットワーク競合送信リソースプールがアイドルのミクロネットワーク競合送信リソースを含む場合、アイドルのミクロネットワーク競合送信リソースから1つまたは複数のミクロネットワーク競合送信リソースを選択し、選択されたミクロネットワーク競合送信リソースをターゲット伝送リソースとして使用し、そうでない場合、マクロネットワークシステム情報内の競合伝送リソースプールから1つまたは複数のアイドルの競合伝送リソースを選択し、選択された競合伝送リソースをターゲット伝送リソースとして使用することと
を行うように構成される。
【００７７】
場合によっては、ノードにリソース要求情報を送信するとき、取得ユニット205は、具体的に、
通信タスクのタスク情報を含むリソース要求情報をノードに送信することであって、タスク情報が以下のタスクタイプ、タスク優先度、またはサービストラフィックのうちの任意の1つまたは組合せを含む、送信すること
を行うように構成される。
【００７８】
場合によっては、リソース要求情報に基づいてノードによって返信されたターゲット伝送リソースを受信するとき、受信ユニット201は、具体的に、
リソース要求情報に基づいてノードによって返信され、ターゲット伝送リソースを含む、リソース認可情報を受信すること
を行うように構成される。
【００７９】
場合によっては、リソース認可情報に含まれるターゲット伝送リソースを受信するとき、受信ユニット201は、具体的に、
リソース認可情報に含まれるターゲット伝送リソースを受信することであって、ターゲット伝送リソースの時間周波数位置に対応するミクロネットワークスケジュール済みSA送信リソースが、ミクロネットワークスケジュール済みSA送信リソースプールに属する、受信すること、または
リソース認可情報に含まれるターゲット伝送リソースを受信することであって、ターゲット伝送リソースの時間周波数位置に対応するスケジュール済みSAリソースが、スケジュール済みSAリソースプールに属する、受信すること
を行うように構成される。
【００８０】
場合によっては、リソース認可情報に含まれるターゲット伝送リソースを受信するとき、受信ユニット201は、具体的に、
リソース認可情報に含まれ、ミクロネットワークスケジュール済み送信リソースプールまたはスケジュール済み伝送リソースプールに属するターゲット伝送リソースを受信すること
を行うように構成される。
【００８１】
図3を参照すると、本発明の実施形態は、車両ネットワーク内の伝送リソースをスケジュールするための方法を提供する。方法は、車両、交通基盤などを含む、車両ネットワークシステム内の様々な端末に適用される。方法の具体的な手順は以下のステップを含む。
【００８２】
ステップ301：基地局によって送信されたマクロネットワークシステム情報を受信し、マクロネットワークシステム情報はノード伝送リソース情報を搬送する。
【００８３】
本発明のこの実施形態では、場合によっては、基地局は、システム情報ブロードキャスト（System Information Broadcast、SIB）または無線リソース制御（Radio Resource Control、RRC）のシグナリングを使用することにより、端末にマクロネットワークシステム情報を送信することができる。
【００８４】
基地局は、端末が基地局のカバレージ領域に入ったとき、または端末が基地局のカバレージ領域内でオンにされたとき、端末にマクロネットワークシステム情報を送信する。
【００８５】
マクロネットワークシステム情報は、ミクロネットワーク動作周波数、スケジュール済みスケジューリング割当てSAリソースプール、および競合SAリソースプールをさらに含み、スケジュール済みSAリソースプール内の各スケジュール済みSAリソースおよび競合SAリソースプール内の各競合SAリソースは、ミクロネットワーク動作周波数が位置する周波数帯域内の時間周波数リソースであり、時間周波数リソースは、伝送リソースの時間周波数位置ならびに対応する変調およびコーディング方式を示すために使用されるか、または
マクロネットワークシステム情報は、ミクロネットワーク動作周波数、スケジュール済み伝送リソースプール、および競合伝送リソースプールをさらに含み、スケジュール済み伝送リソースプール内の各スケジュール済み伝送リソースおよび競合伝送リソースプール内の各競合伝送リソースは、ミクロネットワーク動作周波数が位置する周波数帯域内の伝送リソースである。
【００８６】
マクロネットワーク情報が、ミクロネットワーク動作周波数、スケジュール済みSAリソースプール、および競合SAリソースプールをさらに含むとき、マクロネットワークシステム情報内で搬送されたノード伝送リソース情報は、ノードSAリソースプールである。ノードSAリソースプール内の各ノードSAリソースは、ミクロネットワーク動作周波数が位置する周波数帯域内の時間周波数リソースであり、時間周波数リソースは、伝送リソースの時間周波数位置ならびに対応する変調およびコーディング方式を示すために使用される。
【００８７】
マクロネットワーク情報が、ミクロネットワーク動作周波数、スケジュール済み伝送リソースプール、および競合伝送リソースプールをさらに含むとき、マクロネットワークシステム情報内で搬送されたノード伝送リソース情報は、ノード伝送リソースプールである。ノード伝送リソースプール内の各ノード伝送リソースは、ミクロネットワーク動作周波数が位置する周波数帯域内の伝送リソースである。
【００８８】
好ましくは、マクロネットワークシステム情報は、2つの構成形態を含む場合がある。
【００８９】
第1の構成形態では、マクロネットワークシステム情報は、限定はしないが、ミクロネットワーク動作周波数、ノードスケジューリング割当て（Scheduling Assignment、SA）リソースプール、スケジュール済みSAリソースプール、および競合SAリソースプールを含む。ノードSAリソースプール内の各ノードSAリソース、スケジュール済みSAリソースプール内の各スケジュール済みSAリソース、および競合SAリソースプール内の各競合SAリソースは、ミクロネットワーク動作周波数が位置する周波数帯域内の時間周波数リソースである。時間周波数リソースは、1つの伝送リソースの時間周波数位置ならびに対応する変調およびコーディング方式を示す。
【００９０】
第2の構成形態では、マクロネットワークシステム情報は、限定はしないが、ミクロネットワーク動作周波数、ノード伝送リソースプール、スケジュール済み伝送リソースプール、および競合伝送リソースプールを含む。ノード伝送リソースプール内の各ノード伝送リソース、スケジュール済み伝送リソースプール内の各スケジュール済み伝送リソース、および競合伝送リソースプール内の各競合伝送リソースは、ミクロネットワーク動作周波数が位置する周波数帯域内の伝送リソースである。
【００９１】
場合によっては、マクロネットワークシステム情報は、マクロネットワークの帯域幅をさらに含む。
【００９２】
第1の構成形態では、図4を参照すると、各SAリソースは、1つの伝送リソースの時間周波数位置ならびに対応する変調およびコーディング方式を示す。
【００９３】
ノードSAリソースプールは、少なくとも1つのノードSAリソースを含む。各ノードSAリソースは、ミクロネットワーク動作周波数が位置する周波数帯域内の1つの時間周波数リソースであり、各ノードSAリソースは、1つの伝送リソースの時間周波数位置ならびに対応する変調およびコーディング方式を示す。伝送リソースは、ミクロネットワークシステム情報を送信するために使用される。
【００９４】
ノードSAリソースの機能は、端末が、ノードSAリソースプール内でノードSA情報を含むノードSAリソースを見つけ、ノードSAリソースの指示に従って、1つまたは複数のノードによって送信された対応するミクロネットワークシステム情報を求めて探索することができることである。
【００９５】
スケジュール済みSAリソースプールは、ミクロネットワーク動作周波数が位置する周波数帯域内の複数の指定されたリソースブロック、すなわち、スケジュール済みSAリソースを含む。ノードSAリソースプール内の各ノードSAリソースと同様に、各スケジュール済みSAリソースは、1つの伝送リソースの時間周波数位置ならびに変調およびコーディング方式を示し、スケジュール済みSAリソースがノードによって端末に割り振られたときのみ、端末は、スケジュール済みSAリソースに対応する伝送リソースを使用してデータを伝送することができる。
【００９６】
スケジュール済みSAリソースの機能は、端末が集中型スケジューリング方式でV2V／V2I情報を送信するとき、ノードによって割り振られたスケジュール済みSAリソースを取得した後、端末が、スケジュール済みSAリソースによって指定された伝送リソース上で、送信される必要があるV2V／V2I情報を送信することである。端末が集中型スケジューリング方式でV2V／V2I情報を受信するとき、端末は、そのようなスケジュール済みSAリソースを使用することにより、別の近くの端末によって送信されたV2V／V2I情報を取得するために、スケジュール済みSAリソースプール内のスケジュール済みSAリソースをリッスンする必要がある。
【００９７】
競合SAリソースプールは、ミクロネットワーク動作周波数が位置する周波数帯域内の複数の指定されたリソースブロック、すなわち、競合SAリソースを含む。ノードSAリソースプールおよびスケジュール済みSAリソースプール内のSAリソースと同様に、各競合SAリソースも、1つの伝送リソースの時間周波数位置ならびに変調およびコーディング方式を示し、端末は、競合方式で別の近くの端末より先に、そのような競合SAリソースを手に入れる必要がある。
【００９８】
競合SAリソースの機能は、端末が競合方式でV2V／V2I情報を送信するとき、競合によって競合SAリソースを取得した後、端末が、競合SAリソースによって指定された伝送リソース上で、送信される必要があるV2V／V2I情報を送信することである。端末が競合方式でV2V／V2I情報を受信するとき、端末は、そのような競合SAリソースを使用することにより、別の近くの端末によって送信されたV2V／V2I情報を取得するために、競合SAリソースプール内の競合SAリソースをリッスンする必要がある。
【００９９】
第2の構成形態では、図5を参照すると、
【０１００】
ノード伝送リソースプールは少なくとも1つのノード伝送リソースを含み、各ノード伝送リソースは、ミクロネットワーク動作周波数が位置する周波数帯域内の1つの時間周波数リソースであり、各ノードリソースは、ミクロネットワークシステム情報を送信するために使用される。
【０１０１】
ノード伝送リソースの機能は、端末が、ノードによって送信されたミクロネットワークシステム情報を受信することができる1つまたは複数のノード伝送リソースを求めてノード伝送リソースプールを探索し、ノード伝送リソースをリッスンすることにより、1つまたは複数のノードによって送信されるミクロネットワークシステム情報を取得することができることである。
【０１０２】
スケジュール済み伝送リソースプールは、ミクロネットワーク動作周波数が位置する周波数帯域内の複数の指定されたリソースブロック、すなわち、スケジュール済みSAリソースを含む。端末は、そのようなスケジュール済み伝送リソースが近くのノードによって端末に割り振られたときのみ、スケジュール済み伝送リソースを使用してデータを伝送することができる。
【０１０３】
スケジュール済み伝送リソースの機能は、端末が集中型スケジューリング方式でV2V／V2I情報を送信するとき、段階的割振りを介してスケジュール済み伝送リソースを取得した後、端末が、スケジュール済み伝送リソース上で、送信される必要があるV2V／V2I情報を送信することである。端末が集中型スケジューリング方式でV2V／V2I情報を受信するとき、端末は、そのようなスケジュール済み伝送リソースを使用することにより、別の近くの端末によって送信されたV2V／V2I情報を取得するために、スケジュール済み伝送リソースプール内のスケジュール済み伝送リソースをリッスンする必要がある。
【０１０４】
競合伝送リソースプールは、ミクロネットワーク動作周波数が位置する周波数帯域内の複数の指定されたリソースブロック、すなわち、競合伝送リソースを含む。端末は、競合方式で別の近くの端末より先に、そのような競合伝送リソースを手に入れる必要がある。
【０１０５】
競合伝送リソースの機能は、端末が競合方式でV2V／V2I情報を送信するとき、競合によって競合伝送リソースを取得した後、端末が、競合伝送リソース上で、送信される必要があるV2V／V2I情報を送信することである。端末が競合方式でV2V／V2I情報を受信するとき、端末は、そのような競合伝送リソースを使用することにより、別の近くの端末によって送信されたV2V／V2I情報を取得するために、競合伝送リソースの競合リソース位置をリッスンする必要がある。
【０１０６】
ステップ302：ノード伝送リソース情報に従ってターゲットノード伝送リソースを決定する。
【０１０７】
具体的には、マクロネットワークシステム情報内で搬送されたノード伝送リソース情報がノードSAリソースプールであるとき、ノード伝送リソース情報に従ってターゲットノード伝送リソースを決定することは、
ミクロネットワーク動作周波数が位置する指定された周波数帯域内にあり、ノードSA情報を含む、少なくとも1つのノードSAリソースを求めて、ノードSAリソースプール内のノードSAリソースを探索することであって、任意のノードSAリソースがノードSA情報を含むとき、任意のノードSAリソースに対応する伝送リソースを使用することによりミクロネットワークシステム情報を伝送するようにノードが命令される、探索することと、
見つけられた少なくとも1つのノードSAリソースから、ターゲットノードSAリソースとして1つのノードSAリソースを選択することと、
ターゲットノードSAリソースによって示された伝送リソースの時間周波数位置に対応する伝送リソースを決定し、決定された伝送リソースをターゲットノード伝送リソースとして使用することと
を含む。
【０１０８】
具体的には、マクロネットワークシステム情報内で搬送されたノード伝送リソース情報がノード伝送リソースプールであるとき、ノード伝送リソース情報に従ってターゲットノード伝送リソースを決定することは、
ミクロネットワーク動作周波数が位置する指定された周波数帯域内にあり、ノードによって送信されたミクロネットワークシステム情報を受信することができる、少なくとも1つのノード伝送リソースを求めて、ノード伝送リソースプール内のノード伝送リソースを探索することと、
見つけられた少なくとも1つのノード伝送リソースから、ターゲットノード伝送リソースとして1つのノード伝送リソースを選択することと
を含む。
【０１０９】
ステップ303：ターゲットノード伝送リソースに従って、ノードによって送信されたミクロネットワークシステム情報を受信し、ミクロネットワークシステム情報はミクロネットワーク識別子およびノード識別子を搬送する。
【０１１０】
端末によって受信されたマクロネットワークシステム情報の構成形態が第1の構成形態であるとき、第1のタイプのミクロネットワークシステム情報は、ミクロネットワークスケジュール済みSA送信リソースプールおよびミクロネットワーク競合SA送信リソースプールをさらに含む。  ミクロネットワークスケジュール済みSA送信リソースプール内の各ミクロネットワークスケジュール済みSA送信リソースおよびミクロネットワーク競合SA送信リソースプール内の各ミクロネットワーク競合SA送信リソースは、ミクロネットワーク動作周波数が位置する周波数帯域内の時間周波数リソースであり、時間周波数リソースは、伝送リソースの時間周波数位置ならびに対応する変調およびコーディング方式を示すために使用される。
【０１１１】
端末によって受信されたマクロネットワークシステム情報の構成形態が第2の構成形態であるとき、第2のタイプのミクロネットワークシステム情報は、ミクロネットワークスケジュール済み送信リソースプールおよびミクロネットワーク競合送信リソースプールをさらに含む。  ミクロネットワークスケジュール済み送信リソースプール内の各ミクロネットワークスケジュール済み送信リソースおよびミクロネットワーク競合送信リソースプール内の各ミクロネットワーク競合送信リソースは、ミクロネットワーク動作周波数が位置する周波数帯域内の伝送リソースである。
【０１１２】
ミクロネットワークシステム情報の構成が第1の構成形態か第2の構成形態かにかかわらず、ミクロネットワークシステム情報は、タスクタイプとリソーススケジューリング方式との間のマッピング関係をさらに含む場合があり、各タスクタイプは、マッピング関係において少なくとも1つのリソーススケジューリング方式に対応する。具体的には、マッピング関係は、集中型スケジューリング方式で送信される必要がある1組のサービスタイプと、競合方式で送信される必要がある1組のサービスタイプとを指定し、同じタイプのサービスが両方の送信方式で送信される場合もある。
【０１１３】
ステップ304：ミクロネットワークシステム情報内で搬送されたミクロネットワーク識別子およびノード識別子に従って、ミクロネットワークにアクセスする。
【０１１４】
具体的には、ステップ304のプロセスは、
ミクロネットワーク識別子およびノード識別子に従ってそれ自体の構成を完了し、ノード識別子に対応するノードへの接続を確立すること
を含む。
【０１１５】
ステップ305：通信タスクが生成されると、通信タスクのタスクタイプに従って、アクセスされたミクロネットワーク内のターゲットリソーススケジューリング方式を決定する。
【０１１６】
通信タスクが、端末がV2V／V2I情報を送信する必要があることである場合、V2V／V2I情報は、限定はしないが、以下の情報：車両の速度、運転方向、具体的な位置、または緊急ブレーキが行われたかどうかのうちの任意の1つまたは組合せを含む場合がある。端末が上位層V2V／V2I通信サービスを有するとき、通信タスクのタスクタイプが最初に決定され、次いで、タスクタイプに対応する少なくとも1つのリソーススケジューリング方式を求めて、タスクタイプとリソーススケジューリング方式との間のマッピング関係が、タスクタイプに従って探索される。
【０１１７】
リソーススケジューリング方式のあらかじめ設定された優先度に従って、見つけられたリソーススケジューリング方式から、ターゲットリソーススケジューリング方式として1つのリソーススケジューリング方式が選択される。
【０１１８】
マッピング関係は、ノードによって送信されたミクロネットワークシステム情報に追加される場合があり、ステップ303において記載されたように端末に送信される。代替として、マッピング関係は、端末にあらかじめ記憶される場合があるか、または基地局によって端末に送信される場合がある。本発明のこの実施形態では、特定の制限は課されない。
【０１１９】
ステップ306：決定されたターゲットリソーススケジューリング方式に従って、アクセスされたミクロネットワーク内でターゲット伝送リソースを取得する。
【０１２０】
具体的には、ステップ306は、以下の2つのケース：
第1のケース：決定されたターゲットリソーススケジューリング方式が競合方式であるとき、ミクロネットワークシステム情報に従って、アクセスされたミクロネットワーク内のターゲット伝送リソースが決定される、または
第2のケース：決定されたターゲットリソーススケジューリング方式が集中型スケジューリング方式であるとき、リソース要求情報がノードに送信され、リソース要求情報に基づいてノードによって返信されたターゲット伝送リソースが受信される
を含む。
【０１２１】
具体的には、決定されたターゲットリソーススケジューリング方式が競合方式であるとき、アクセスされたミクロネットワーク内のターゲット伝送リソースは、ミクロネットワークシステム情報に従って、かつミクロネットワークシステム情報の構成方式に従って決定され、具体的には、
ミクロネットワークシステム情報の構成形態が第1の構成形態である、すなわち、マクロネットワークシステム情報の構成形態も第1の構成形態であるとき、ミクロネットワークシステム情報内のミクロネットワーク競合SA送信リソースプールが、アイドルのミクロネットワーク競合SA送信リソースを含むかどうかを判定することと、
ミクロネットワーク競合SA送信リソースプールがアイドルのミクロネットワーク競合SA送信リソースを含む場合、アイドルのミクロネットワーク競合SA送信リソースから1つのミクロネットワーク競合SA送信リソースを選択し、選択されたミクロネットワーク競合SA送信リソースによって示された伝送リソースの時間周波数位置に従って、時間周波数位置に対応する伝送リソースをターゲット伝送リソースとして決定し、そうでない場合、マクロネットワークシステム情報内の競合SAリソースプールから1つのアイドルの競合SAリソースを選択し、選択された競合SAリソースによって示された伝送リソースの時間周波数位置に従って、時間周波数位置に対応する伝送リソースをターゲット伝送リソースとして決定することと
ミクロネットワークシステム情報の構成形態が第2の構成形態である、すなわち、マクロネットワークシステム情報の構成形態も第2の構成形態であるとき、ミクロネットワークシステム情報内のミクロネットワーク競合送信リソースプールが、アイドルのミクロネットワーク競合送信リソースを含むかどうかを判定することと、
ミクロネットワーク競合送信リソースプールがアイドルのミクロネットワーク競合送信リソースを含む場合、アイドルのミクロネットワーク競合送信リソースから1つまたは複数のミクロネットワーク競合送信リソースを選択し、選択されたミクロネットワーク競合送信リソースをターゲット伝送リソースとして使用し、そうでない場合、マクロネットワークシステム情報内の競合伝送リソースプールから1つまたは複数のアイドルの競合伝送リソースを選択し、選択された競合伝送リソースをターゲット伝送リソースとして使用することと
を含む、2つのケースが存在する。
【０１２２】
具体的には、ターゲットリソーススケジューリング方式が集中型スケジューリング方式であるとき、リソース要求情報がノードに送信され、リソース要求情報に基づいてノードによって返信されたターゲット伝送リソースが受信される。
【０１２３】
ノードにリソース要求情報を送信することは、通信タスクのタスク情報を含むリソース要求情報をノードに送信することであって、タスク情報が以下のタスクタイプ、タスク優先度、またはサービストラフィックのうちの任意の1つまたは組合せを含む、送信することを含む。
【０１２４】
実際の適用例では、リソース要求情報はバッファ状況要求情報と呼ばれる。この情報は、前のサービスを伝送するために使用された伝送リソースをノードに要求するために使用される。
【０１２５】
場合によっては、リソース要求情報は、媒体アクセス制御プロトコルデータユニット（Medium Access Control Packet Data Unit、MAC PDU）に端末によって追加され、ブロードキャスティングを介して送信される場合がある。MAC PDUのパケットヘッダはノード識別子を搬送し、ノード識別子はターゲットアドレスとして使用される場合があり、その結果、ノードはMAC PDUを受信することができる。
【０１２６】
場合によっては、端末は競合方式でMAC PDUを送信することができる。
【０１２７】
MAC PDUを受信した後、ノードは、リソース要求情報などに従って、認可スケジュール済み伝送リソースを決定し、リソース認可情報にターゲット伝送リソースとしてスケジュール済み伝送リソースを追加し、端末にリソース認可情報を返信する。次いで、端末は、リソース要求情報に基づいてノードによって返信され、ターゲット伝送リソースを含む、リソース認可情報を受信する。
【０１２８】
具体的には、ミクロネットワークシステム情報の構成形態が第1の構成形態である、すなわち、マクロネットワークシステム情報の構成形態も第1の構成形態であるとき、受信されたターゲット伝送リソースの時間周波数位置に対応するミクロネットワークスケジュール済みSA送信リソースは、ミクロネットワークスケジュール済みSA送信リソースプールに属するか、または
受信されたターゲット伝送リソースの時間周波数位置に対応するスケジュール済みSAリソースは、スケジュール済みSAリソースプールに属する。
【０１２９】
ミクロネットワークシステム情報の構成形態が第2の構成形態である、すなわち、マクロネットワークシステム情報の構成形態も第2の構成形態であるとき、受信されたターゲット伝送リソースは、ミクロネットワークスケジュール済み送信リソースプールまたはスケジュール済み伝送リソースプールに属する。
【０１３０】
ステップ307：ターゲット伝送リソースに基づいて、通信タスクに対応するデータを送信する。
【０１３１】
V2V／V2I通信を実施するとき、端末は、ターゲット伝送リソースを使用することにより、通信タスクのデータ、たとえば、車両の速度または運転方向を送信する。
【０１３２】
図6を参照すると、前述の実施形態に基づいて、本発明は、車両ネットワーク内の伝送リソースをスケジュールするための方法を提供する。方法の具体的な手順は以下のステップを含む。
【０１３３】
ステップ601：基地局は、最初に、各ノードに、対応するミクロネットワーク情報を割り振り、対応するノードにミクロネットワーク情報を送信する。
【０１３４】
具体的には、ミクロネットワーク情報は、たとえば、ミクロネットワーク識別子、ノード識別子、ミクロネットワークスケジュール済みSA送信リソースプール、およびミクロネットワーク競合SA送信リソースプールである。
【０１３５】
ステップ602：端末が基地局のカバレージ領域に移動したとき、または端末が基地局のカバレージ領域内でオンにされたとき、基地局は、SIBまたはRRCシグナリングを使用することにより、端末にマクロネットワークシステム情報を送信する。
【０１３６】
マクロネットワークシステム情報は、少なくとも、ミクロネットワーク動作周波数、ノードSAリソースプール、スケジュール済みSAリソースプール、および競合SAリソースプールを含む。
【０１３７】
ステップ603：ノードは、ノードSAリソースプール内のノードSAリソースにノードSA情報を送信する。
【０１３８】
ノードSAリソースにノードSA情報を送信することは、ノードがノードSAリソースによって示された伝送リソースを使用して、ミクロネットワークシステム情報を送信することを表す。
【０１３９】
ステップ604：端末は、マクロネットワークシステム情報を受信および記憶し、マクロネットワークシステム情報内のノードSAリソースプールから、ノードSA情報を含むノードSAリソースを見つける。
【０１４０】
ステップ605：ノードは、ノードSA情報を含むノードSAリソースによって示された伝送リソースを使用することにより、端末にミクロネットワークシステム情報を送信する。
【０１４１】
ミクロネットワーク情報は、少なくとも、ミクロネットワーク識別子、ノード識別子、ミクロネットワークスケジュール済みSA送信リソースプール、およびミクロネットワーク競合SA送信リソースプールを含む。
【０１４２】
場合によっては、ミクロネットワークシステム情報は、タスクタイプとリソーススケジューリング方式との間のマッピング関係をさらに含む場合があり、各タスクタイプは、マッピング関係において少なくとも1つのリソーススケジューリング方式に対応する。
【０１４３】
ステップ606：端末は、受信されたミクロネットワークシステム情報に従って、ミクロネットワークにアクセスする。
【０１４４】
具体的には、端末は、ミクロネットワーク識別子およびノード識別子に従ってそれ自体の構成を完了し、ノード識別子に対応するノードへの接続を確立する。
【０１４５】
ステップ607：通信タスクが生成されると、端末は、通信タスクのタスクタイプに従ってターゲットリソーススケジューリング方式を決定する。
【０１４６】
端末は、通信タスクのタスクタイプおよびタスクタイプとリソーススケジューリング方式との間のマッピング関係に従って、タスクタイプに対応するリソーススケジューリング方式を決定する。マッピング関係内のタスクタイプが1つのリソーススケジューリング方式に対応するとき、そのリソーススケジューリング方式がターゲットリソーススケジューリング方式として使用される。マッピング関係内のタスクタイプが2つのリソーススケジューリング方式に対応するとき、高い優先度を有するリソーススケジューリング方式がターゲットリソーススケジューリング方式として選択される。
【０１４７】
一般に、競合方式の優先度は、集中型スケジューリング方式の優先度よりも高い。
【０１４８】
ステップ608：ターゲットリソーススケジューリング方式が競合方式であることが決定されると、最初に、ミクロネットワークシステム情報内のミクロネットワーク競合SA送信リソースプール内のアイドルのミクロネットワーク競合SA送信リソースを先取りし、アイドルのミクロネットワーク競合SA送信リソースが存在しないとき、マクロネットワークシステム情報内の競合SAリソースプール内のアイドルの競合SAリソースを先取りする。
【０１４９】
リソース先取りの後、通信タスクのデータは、先取りされたリソースによって示された伝送リソースを使用することによって送信される。
【０１５０】
ステップ609：決定されたターゲットリソーススケジューリング方式が集中型スケジューリング方式であるとき、端末はノードにリソース要求情報を送信する。
【０１５１】
リソース要求情報は通信タスクのタスク情報を含み、タスク情報は、以下のタスクタイプ、タスク優先度、またはサービストラフィックのうちの任意の1つまたは組合せを含む場合がある。
【０１５２】
ステップ610：ノードは、受信されたリソース要求情報に含まれる通信タスクのタスク情報に従って、端末に割り振られる伝送リソースを決定し、リソース認可情報を使用することにより、端末に伝送リソースを送信する。
【０１５３】
具体的には、伝送リソースの時間周波数位置に対応するスケジュール済みSAリソースは、ミクロネットワークスケジュール済みSA送信リソースプールまたはスケジュール済みSAリソースプールに属する。
【０１５４】
図7を参照すると、前述の実施形態に基づいて、本発明は、車両ネットワーク内の伝送リソースをスケジュールするための別の方法を提供する。方法の具体的な手順は以下のステップを含む。
【０１５５】
ステップ701：基地局は、最初に、各ノードに、対応するミクロネットワーク情報を割り振り、対応するノードにミクロネットワーク情報を送信する。
【０１５６】
具体的には、ミクロネットワーク情報は、たとえば、ミクロネットワーク識別子、ノード識別子、ミクロネットワークスケジュール済み送信リソースプール、およびミクロネットワーク競合送信リソースプールである。
【０１５７】
ステップ702：端末が基地局のカバレージ領域に移動したとき、または端末が基地局のカバレージ領域内でオンにされたとき、基地局は、SIBまたはRRCシグナリングを使用することにより、端末にマクロネットワークシステム情報を送信する。
【０１５８】
マクロネットワークシステム情報は、少なくとも、ミクロネットワーク動作周波数、ノード伝送リソースプール、スケジュール済み伝送リソースプール、および競合伝送リソースプールを含む。
【０１５９】
ステップ703：ノードは、ノード伝送リソースプール内の指定されたノード伝送リソースを使用することにより、ミクロネットワークシステム情報を送信する。
【０１６０】
ステップ704：端末は、ミクロネットワークシステム情報を送信することができるノード伝送リソースを見つけ、ノード伝送リソースを使用することによりミクロネットワークシステム情報を受信する。
【０１６１】
ミクロネットワーク情報は、少なくとも、ミクロネットワーク識別子、ノード識別子、ミクロネットワークスケジュール済み送信リソースプール、およびミクロネットワーク競合送信リソースプールを含む。
【０１６２】
場合によっては、ミクロネットワークシステム情報は、タスクタイプとリソーススケジューリング方式との間のマッピング関係をさらに含む場合があり、各タスクタイプは、マッピング関係において少なくとも1つのリソーススケジューリング方式に対応する。
【０１６３】
ステップ705：端末は、受信されたミクロネットワークシステム情報に従って、ミクロネットワークにアクセスする。
【０１６４】
具体的には、端末は、ミクロネットワーク識別子およびノード識別子に従ってそれ自体の構成を完了し、ノード識別子に対応するノードへの接続を確立する。
【０１６５】
ステップ706：通信タスクが生成されると、端末は、通信タスクのタスクタイプに従ってターゲットリソーススケジューリング方式を決定する。
【０１６６】
端末は、通信タスクのタスクタイプおよびタスクタイプとリソーススケジューリング方式との間のマッピング関係に従って、タスクタイプに対応するリソーススケジューリング方式を決定する。マッピング関係内のタスクタイプが1つのリソーススケジューリング方式に対応するとき、そのリソーススケジューリング方式がターゲットリソーススケジューリング方式として使用される。マッピング関係内のタスクタイプが2つのリソーススケジューリング方式に対応するとき、高い優先度を有するリソーススケジューリング方式がターゲットリソーススケジューリング方式として選択される。
【０１６７】
一般に、競合方式の優先度は、集中型スケジューリング方式の優先度よりも高い。
【０１６８】
ステップ707：ターゲットリソーススケジューリング方式が競合方式であることが決定されると、最初に、ミクロネットワークシステム情報内のミクロネットワーク競合送信リソースプール内のアイドルのミクロネットワーク競合送信リソースを先取りし、アイドルのミクロネットワーク競合送信リソースが存在しないとき、マクロネットワークシステム情報内の競合伝送リソースプール内のアイドルの競合伝送リソースを先取りする。
【０１６９】
リソース先取りの後、通信タスクのデータは、先取りされたリソースを使用することによって送信される。
【０１７０】
ステップ708：決定されたターゲットリソーススケジューリング方式が集中型スケジューリング方式であるとき、端末はノードにリソース要求情報を送信する。
【０１７１】
リソース要求情報は通信タスクのタスク情報を含み、タスク情報は、以下のタスクタイプ、タスク優先度、またはサービストラフィックのうちの任意の1つまたは組合せを含む場合がある。
【０１７２】
ステップ709：ノードは、受信されたリソース要求情報に含まれる通信タスクのタスク情報に従って、端末に割り振られる伝送リソースを決定し、リソース認可情報を使用することにより、端末に伝送リソースを送信する。
【０１７３】
具体的には、伝送リソースは、ミクロネットワークスケジュール済み送信リソースプールまたはスケジュール済み伝送リソースプールに属する。
【０１７４】
前述の実施形態に基づいて、図8を参照すると、本発明の実施形態は端末デバイスをさらに提供する。端末デバイスは、トランシーバ801と、プロセッサ802と、バス803と、メモリ804とを含む。
【０１７５】
トランシーバ801、プロセッサ802、およびメモリ804は、バス803を介して互いに接続される。バス803は、周辺構成要素相互接続（peripheral component interconnect、PCI）バス、拡張業界標準アーキテクチャ（extended industry standard architecture、略してEISA）バスなどであり得る。バスは、アドレスバス、データバス、制御バスなどとして分類される場合がある。表現を容易にするために、バスはただ1つの太線を使用することにより図8に表されているが、それは、ただ1つのバスまたはただ1つのタイプのバスが存在することを示していない。
【０１７６】
トランシーバ801は、基地局によって送信されたマクロネットワークシステム情報を受信することと、ノードによって送信されたミクロネットワークシステム情報を受信することと、ノードにリソース要求情報を送信することと、リソース要求情報に基づいてノードによって返信されたターゲット伝送リソースを受信することとを行うように構成される。
【０１７７】
プロセッサ802は、本発明のこの実施形態において図3に示された、車両ネットワーク内の伝送リソースをスケジュールするための方法を実装するように構成され、方法は、
基地局によって送信されたマクロネットワークシステム情報を受信することであって、マクロネットワークシステム情報がノード伝送リソース情報を搬送する、受信することと、
ノード伝送リソース情報に従ってターゲットノード伝送リソースを決定することと、
ターゲットノード伝送リソースに従って、ノードによって送信されたミクロネットワークシステム情報を受信することであって、ミクロネットワークシステム情報がミクロネットワーク識別子およびノード識別子を搬送する、受信することと、
ミクロネットワークシステム情報内で搬送されたミクロネットワーク識別子およびノード識別子に従って、ミクロネットワークにアクセスすることと、
通信タスクが生成されると、通信タスクのタスクタイプに従って、アクセスされたミクロネットワーク内のターゲットリソーススケジューリング方式を決定することと、
決定されたターゲットリソーススケジューリング方式に従って、アクセスされたミクロネットワーク内でターゲット伝送リソースを取得することと、
ターゲット伝送リソースに基づいて、通信タスクに対応するデータを送信することと
を含む。
【０１７８】
場合によっては、プロセッサ802により、決定されたターゲットリソーススケジューリング方式に従って、アクセスされたミクロネットワーク内でターゲット伝送リソースを取得することは、
決定されたターゲットリソーススケジューリング方式が競合方式であるとき、ミクロネットワークシステム情報に従って、アクセスされたミクロネットワーク内のターゲット伝送リソースを決定すること、または
決定されたターゲットリソーススケジューリング方式が集中型スケジューリング方式であるとき、ノードにリソース要求情報を送信し、リソース要求情報に基づいてノードによって返信されたターゲット伝送リソースを受信すること
を含む。
【０１７９】
場合によっては、プロセッサ802により、基地局によって送信されたマクロネットワークシステム情報を受信することは、
システム情報ブロードキャストSIBまたは無線リソース制御RRCのシグナリングを使用することにより、基地局によって送信されたマクロネットワークシステム情報を受信すること
を含む。
【０１８０】
場合によっては、マクロネットワークシステム情報は、ミクロネットワーク動作周波数、スケジュール済みスケジューリング割当てSAリソースプール、および競合SAリソースプールをさらに含み、スケジュール済みSAリソースプール内の各スケジュール済みSAリソースおよび競合SAリソースプール内の各競合SAリソースは、ミクロネットワーク動作周波数が位置する周波数帯域内の時間周波数リソースであり、時間周波数リソースは、伝送リソースの時間周波数位置ならびに対応する変調およびコーディング方式を示すために使用されるか、または
マクロネットワークシステム情報は、ミクロネットワーク動作周波数、スケジュール済み伝送リソースプール、および競合伝送リソースプールをさらに含み、スケジュール済み伝送リソースプール内の各スケジュール済み伝送リソースおよび競合伝送リソースプール内の各競合伝送リソースは、ミクロネットワーク動作周波数が位置する周波数帯域内の伝送リソースである。
【０１８１】
場合によっては、マクロネットワーク情報が、ミクロネットワーク動作周波数、スケジュール済みSAリソースプール、および競合SAリソースプールをさらに含むとき、マクロネットワークシステム情報内で搬送されたノード伝送リソース情報は、ノードSAリソースプールである。ノードSAリソースプール内の各ノードSAリソースは、ミクロネットワーク動作周波数が位置する周波数帯域内の時間周波数リソースであり、時間周波数リソースは、伝送リソースの時間周波数位置ならびに対応する変調およびコーディング方式を示すために使用される。
【０１８２】
場合によっては、マクロネットワーク情報が、ミクロネットワーク動作周波数、スケジュール済み伝送リソースプール、および競合伝送リソースプールをさらに含むとき、マクロネットワークシステム情報内で搬送されたノード伝送リソース情報は、ノード伝送リソースプールである。ノード伝送リソースプール内の各ノード伝送リソースは、ミクロネットワーク動作周波数が位置する周波数帯域内の伝送リソースである。
【０１８３】
場合によっては、マクロネットワークシステム情報内で搬送されたノード伝送リソース情報がノードSAリソースプールであるとき、プロセッサ802により、ノード伝送リソース情報に従ってターゲットノード伝送リソースを決定することは、
ミクロネットワーク動作周波数が位置する指定された周波数帯域内にあり、ノードSA情報を含む、少なくとも1つのノードSAリソースを求めて、ノードSAリソースプール内のノードSAリソースを探索することであって、任意のノードSAリソースがノードSA情報を含むとき、任意のノードSAリソースに対応する伝送リソースを使用することによりミクロネットワークシステム情報を伝送するようにノードが命令される、探索することと、
見つけられた少なくとも1つのノードSAリソースから、ターゲットノードSAリソースとして1つのノードSAリソースを選択することと、
ターゲットノードSAリソースによって示された伝送リソースの時間周波数位置に対応する伝送リソースを決定し、決定された伝送リソースをターゲットノード伝送リソースとして使用することと
を含む。
【０１８４】
場合によっては、マクロネットワークシステム情報内で搬送されたノード伝送リソース情報がノード伝送リソースプールであるとき、プロセッサ802により、ノード伝送リソース情報に従ってターゲットノード伝送リソースを決定することは、
ミクロネットワーク動作周波数が位置する指定された周波数帯域内にあり、ノードによって送信されたミクロネットワークシステム情報を受信することができる、少なくとも1つのノード伝送リソースを求めて、ノード伝送リソースプール内のノード伝送リソースを探索することと、
見つけられた少なくとも1つのノード伝送リソースから、ターゲットノード伝送リソースとして1つのノード伝送リソースを選択することと
を含む。
【０１８５】
場合によっては、ミクロネットワークシステム情報は、ミクロネットワークスケジュール済みSA送信リソースプールおよびミクロネットワーク競合SA送信リソースプールをさらに含み、ミクロネットワークスケジュール済みSA送信リソースプール内の各ミクロネットワークスケジュール済みSA送信リソースおよびミクロネットワーク競合SA送信リソースプール内の各ミクロネットワーク競合SA送信リソースは、ミクロネットワーク動作周波数が位置する周波数帯域内の時間周波数リソースであり、時間周波数リソースは、伝送リソースの時間周波数位置ならびに対応する変調およびコーディング方式を示すために使用される。
【０１８６】
場合によっては、ミクロネットワークシステム情報は、ミクロネットワークスケジュール済み送信リソースプールおよびミクロネットワーク競合送信リソースプールをさらに含み、ミクロネットワークスケジュール済み送信リソースプール内の各ミクロネットワークスケジュール済み送信リソースおよびミクロネットワーク競合送信リソースプール内の各ミクロネットワーク競合送信リソースは、ミクロネットワーク動作周波数が位置する周波数帯域内の伝送リソースである。
【０１８７】
場合によっては、ミクロネットワークシステム情報は、タスクタイプとリソーススケジューリング方式との間のマッピング関係をさらに含み、各タスクタイプは、マッピング関係において少なくとも1つのリソーススケジューリング方式に対応する。
【０１８８】
場合によっては、プロセッサ802により、ミクロネットワークシステム情報内で搬送されたミクロネットワーク識別子およびノード識別子に従って、ミクロネットワークにアクセスすることは、
ミクロネットワーク識別子およびノード識別子に従ってそれ自体の構成を完了し、ノード識別子に対応するノードへの接続を確立すること
を含む。
【０１８９】
場合によっては、プロセッサ802により、通信タスクのタスクタイプに従って、アクセスされたミクロネットワーク内のターゲットリソーススケジューリング方式を決定することは、
通信タスクのタスクタイプに従って、タスクタイプに対応する少なくとも1つのリソーススケジューリング方式を求めて、タスクタイプとリソーススケジューリング方式との間のマッピング関係を探索することと、
リソーススケジューリング方式のあらかじめ設定された優先度に従って、見つけられたリソーススケジューリング方式からターゲットリソーススケジューリング方式として1つのリソーススケジューリング方式を選択することと
を含む。
【０１９０】
場合によっては、プロセッサ802により、ミクロネットワークシステム情報に従って、アクセスされたミクロネットワーク内のターゲット伝送リソースを決定することは、
ミクロネットワークシステム情報内のミクロネットワーク競合SA送信リソースプールが、アイドルのミクロネットワーク競合SA送信リソースを含むかどうかを判定することと、
ミクロネットワーク競合SA送信リソースプールがアイドルのミクロネットワーク競合SA送信リソースを含む場合、アイドルのミクロネットワーク競合SA送信リソースから1つのミクロネットワーク競合SA送信リソースを選択し、選択されたミクロネットワーク競合SA送信リソースによって示された伝送リソースの時間周波数位置に従って、時間周波数位置に対応する伝送リソースをターゲット伝送リソースとして決定し、そうでない場合、マクロネットワークシステム情報内の競合SAリソースプールから1つのアイドルの競合SAリソースを選択し、選択された競合SAリソースによって示された伝送リソースの時間周波数位置に従って、時間周波数位置に対応する伝送リソースをターゲット伝送リソースとして決定することと
を含む。
【０１９１】
場合によっては、プロセッサ802により、ミクロネットワークシステム情報に従って、アクセスされたミクロネットワーク内のターゲット伝送リソースを決定することは、
ミクロネットワークシステム情報内のミクロネットワーク競合送信リソースプールが、アイドルのミクロネットワーク競合送信リソースを含むかどうかを判定することと、
ミクロネットワーク競合送信リソースプールがアイドルのミクロネットワーク競合送信リソースを含む場合、アイドルのミクロネットワーク競合送信リソースから1つまたは複数のミクロネットワーク競合送信リソースを選択し、選択されたミクロネットワーク競合送信リソースをターゲット伝送リソースとして使用し、そうでない場合、マクロネットワークシステム情報内の競合伝送リソースプールから1つまたは複数のアイドルの競合伝送リソースを選択し、選択された競合伝送リソースをターゲット伝送リソースとして使用することと
を含む。
【０１９２】
場合によっては、プロセッサ802により、ノードにリソース要求情報を送信することは、
通信タスクのタスク情報を含むリソース要求情報をノードに送信することであって、タスク情報が以下のタスクタイプ、タスク優先度、またはサービストラフィックのうちの任意の1つまたは組合せを含む、送信すること
を含む。
【０１９３】
場合によっては、プロセッサにより、リソース要求情報に基づいてノードによって返信されたターゲット伝送リソースを受信することは、
リソース要求情報に基づいてノードによって返信され、ターゲット伝送リソースを含む、リソース認可情報を受信すること
を含む。
【０１９４】
場合によっては、受信されたターゲット伝送リソースの時間周波数位置に対応するミクロネットワークスケジュール済みSA送信リソースは、ミクロネットワークスケジュール済みSA送信リソースプールに属するか、または
受信されたターゲット伝送リソースの時間周波数位置に対応するスケジュール済みSAリソースは、スケジュール済みSAリソースプールに属する。
【０１９５】
場合によっては、受信されたターゲット伝送リソースは、ミクロネットワークスケジュール済み送信リソースプールまたはスケジュール済み伝送リソースプールに属する。
【０１９６】
端末デバイス800は、プログラムなどを記憶するように構成されたメモリ804をさらに含む。具体的には、プログラムはプログラムコードを含む場合があり、プログラムコードはコンピュータ動作命令を含む。メモリ804は、ランダムアクセスメモリ（random access memory、RAM）を含む場合があるか、または、少なくとも1つの磁気ディスクメモリなどの不揮発性メモリ（non−volatile memory）を含む場合がある。プロセッサ802は、メモリ804に記憶されたアプリケーションプログラムを実行して、車両ネットワーク内の伝送リソースをスケジュールするための前述の方法を実施する。
【０１９７】
結果として、本発明の実施形態において提供される車両ネットワーク内の伝送リソースをスケジュールするための方法および装置に従って、方法では、端末は、基地局によって送信され、ノード伝送リソース情報を搬送するマクロネットワークシステム情報を受信し、ノード伝送リソース情報に従ってターゲットノード伝送リソースを決定し、ターゲットノード伝送リソースに従って、ミクロネットワークにアクセスするために、ノードによって送信され、ミクロネットワーク識別子およびノード識別子を搬送するミクロネットワークシステム情報を受信する。通信タスクが生成されると、端末は、通信タスクに従ってターゲットリソーススケジューリング方式を決定し、決定されたターゲットリソーススケジューリング方式に従って、アクセスされたミクロネットワーク内でターゲット伝送リソースを取得し、最終的に、ターゲット伝送リソースに基づいて、通信タスクに対応するデータを送信する。このようにして、車両ネットワーク内で通信タスク用のデータを伝送するとき、端末は、ターゲット伝送リソースを自律的に決定することができ、基地局との複数のシグナリング対話を実施する必要がなく、それにより、基地局のシグナリングオーバーヘッドが低減される。加えて、基地局は、端末がデータを送信するために端末に伝送リソースを割り振る必要がない。したがって、基地局の負荷が減少し、基地局の作業効率が増大する。
【０１９８】
本発明の実施形態は、方法、システム、またはコンピュータプログラム製品として提供される場合があることを当業者なら理解されよう。したがって、本発明は、ハードウェアのみの実施形態、ソフトウェアのみの実施形態、またはソフトウェアとハードウェアの組合せを有する実施形態の形態を使用してもよい。その上、本発明は、コンピュータ使用可能プログラムコードを含む、（限定はしないが、ディスクメモリ、CD−ROM、光メモリなどを含む）1つまたは複数のコンピュータ使用可能記憶媒体に実装された、コンピュータプログラム製品の形態を使用してもよい。
【０１９９】
本発明は、本発明の実施形態による、方法、デバイス（システム）、およびコンピュータプログラム製品のフローチャートおよび／またはブロック図を参照して記載されている。コンピュータプログラム命令は、フローチャートおよび／またはブロック図内の各プロセスおよび／または各ブロック、ならびにフローチャートおよび／またはブロック図内のプロセスおよび／またはブロックの組合せを実装するために使用される場合があることを理解されたい。これらのコンピュータプログラム命令は、機械を生成するために、汎用コンピュータ、専用コンピュータ、組込み型プロセッサ、または任意の他のプログラマブルデータ処理デバイスのプロセッサに提供される場合があり、その結果、コンピュータまたは任意の他のプログラマブルデータ処理デバイスのプロセッサによって実行される命令は、フローチャート内の1つもしくは複数のプロセス内、および／またはブロック図内の1つもしくは複数のブロック内の特定の機能を実装するための装置を生成する。
【０２００】
これらのコンピュータプログラム命令は、特定の方式で動作するようにコンピュータまたは任意の他のプログラマブルデータ処理デバイスに命令することができるコンピュータ可読メモリに記憶される場合があり、その結果、コンピュータ可読メモリに記憶された命令は、命令装置を含むアーティファクトを生成する。命令装置は、フローチャート内の1つもしくは複数のプロセス内、および／またはブロック図内の1つもしくは複数のブロック内の特定の機能を実装する。
【０２０１】
これらのコンピュータプログラム命令は、コンピュータまたは別のプログラマブルデータ処理デバイスにロードされる場合があり、その結果、一連の動作およびステップは、コンピュータまたは別のプログラマブルデータ処理デバイス上で実施され、それにより、コンピュータ実装処理が生成される。したがって、コンピュータまたは別のプログラマブルデータ処理デバイス上で実行される命令は、フローチャート内の1つもしくは複数のプロセス内、および／またはブロック図内の1つもしくは複数のブロック内の特定の機能を実装するためのステップを提供する。
【０２０２】
本発明のいくつかの実施形態が記載されたが、当業者は、基本的な本発明の概念を知ると、これらの実施形態に対して変更および修正を行うことができる。したがって、以下の特許請求の範囲は、本発明の範囲内に入る実施形態ならびにすべての変更および修正を包含するように解釈されるものである。
【０２０３】
明らかに、当業者は、本発明の実施形態の趣旨および範囲から逸脱することなく、本発明の実施形態に対して様々な修正および変形を行うことができる。本発明は、以下の特許請求の範囲およびそれらの等価な技術によって定義される保護範囲内に入る、これらの提供された修正および変形を包含するものである。
【符号の説明】
【０２０４】
201  受信ユニット
202  第1の決定ユニット
203  処理ユニット
204  第2の決定ユニット
205  取得ユニット
206  実行ユニット
800  端末デバイス
801  トランシーバ
802  プロセッサ
803  バス
804  メモリ
【図１】
0006521540.tif 000002
【図２】
0006521540.tif 000003
【図３】
0006521540.tif 000004
【図４】
0006521540.tif 000005
【図５】
0006521540.tif 000006
【図６】
0006521540.tif 000007
【図７】
0006521540.tif 000008
【図８】
0006521540.tif 000009